(57)【要約】  本発明の実施形態は、チャネル状態情報を送信するための方法および装置を提供する。方法は、ネットワークデバイスによって送信された参照信号を端末デバイスによって受信するステップと、参照信号に基づいて、プリコーディング行列を前記端末デバイスによって取得するステップと、プリコーディング行列の第１の振幅情報と第２の振幅情報を、端末デバイスによって決定するステップであって、第１の振幅情報は、広帯域の振幅量子化情報を示すために使用され、第２の振幅情報は、広帯域のＮ個の第１サブバンドの振幅量子化情報を示すために使用される、ステップと、第１の振幅情報と第２の振幅情報を、端末デバイスによってネットワークデバイスに送信するステップを含み、状態情報のフィードバック精度を向上する。
2019522402.tif 000002
【特許請求の範囲】
【請求項１】
チャネル状態情報を送信する方法であって、前記方法は、
ネットワークデバイスによって送信された参照信号を、端末デバイスによって受信するステップと、
前記参照信号に基づいて、プリコーディング行列を前記端末デバイスによって取得するステップと、
前記プリコーディング行列の第１の振幅情報と第２の振幅情報を、前記端末デバイスによって決定するステップであって、前記第１の振幅情報は、広帯域の振幅量子化情報を示すために使用され、前記第２の振幅情報は、前記広帯域のＮ個の第１サブバンドの振幅量子化情報を示すために使用され、Ｎは０より大きい整数である、決定するステップと、
前記第１の振幅情報と前記第２の振幅情報を、前記端末デバイスによって前記ネットワークデバイスに送信するステップと、を含む、
方法。
【請求項２】
前記第１の振幅情報は、前記広帯域の振幅量子化値を示すために具体的に使用され、前記広帯域の前記振幅量子化値はＫ個の振幅量子化値に対応し、前記第２の振幅情報は前記Ｎ個の第１サブバンドの各第１サブバンドの振幅量子化値を示すために具体的に使用され、各第１サブバンドの前記振幅量子化値は前記Ｋ個の振幅量子化値のうちの１つであり、Ｋは０より大きい整数である、請求項１に記載の方法。
【請求項３】
前記第１の振幅情報は、前記広帯域の振幅量子化値を示すために具体的に使用され、前記第２の振幅情報は、前記広帯域の前記振幅量子化値に関連する前記Ｎ個の第１サブバンドの振幅量子化値の変動についての情報を示すために具体的に使用される、請求項１に記載の方法。
【請求項４】
前記第１の振幅情報は、前記広帯域の前記振幅量子化値を示すために具体的に使用され、前記第２の振幅情報は、前記プリコーディング行列の前記Ｎ個の第１サブバンドの前記振幅量子化値を調整するための第１方向を示すためにさらに具体的に使用され、前記第１方向は、上方修正方向または下方修正方向であり、前記上方修正方向は、前記Ｎ個の第１サブバンドの前記振幅量子化値が前記広帯域の前記振幅量子化値に変動を加えたものであることを表し、前記下方修正方向は、前記Ｎ個の第１サブバンドの前記振幅量子化値が前記広帯域の前記振幅量子化値から変動を引いたものであることを表す、請求項１または３に記載の方法。
【請求項５】
前記第１の振幅情報は、前記プリコーディング行列に対応するＬ個の振幅量子化情報のうちの１つであり、前記Ｎ個の第１サブバンドの各第１サブバンドの前記振幅量子化情報は、前記プリコーディング行列に対応するＰ個の振幅量子化情報のうちの１つであり、ＬおよびＰは０以上の整数であり、ＬはＰよりも大きい、請求項１乃至４のいずれか一項に記載の方法。
【請求項６】
前記方法は、
前記プリコーディング行列の位相情報を前記端末デバイスによって前記ネットワークデバイスに送信するステップをさらに含み、前記位相情報は前記広帯域のＭ個の第２のサブバンドの位相量子化情報を示すために使用され、前記Ｎ個の第１サブバンドの各第１サブバンドに含まれるリソースブロックの量は、前記Ｍ個の第２サブバンドの各第２サブバンドに含まれるリソースブロックの量よりも多く、Ｍは０よりも大きい整数である、
請求項１乃至５のいずれか一項に記載の方法。
【請求項７】
前記第１の振幅情報と前記第２の振幅情報を前記端末デバイスによって前記ネットワークデバイスに送信する前記ステップの前に、前記方法はさらに、
前記ネットワークデバイスによって送信された第１の命令情報を前記端末デバイスによって受信するステップであって、前記第１の命令情報は、前記端末デバイスに前記第１の振幅情報と前記第２の振幅情報をフィードバックさせるように命令するために使用される、受信するステップを含み、
前記第１の振幅情報と前記第２の振幅情報を前記端末デバイスによって前記ネットワークデバイスに送信する前記ステップは、
前記第１の命令情報に従って、前記第１の振幅情報と前記第２の振幅情報を前記端末デバイスによって前記ネットワークデバイスに送信するステップを含む、
請求項１乃至６のいずれか一項に記載の方法。
【請求項８】
チャネル状態情報を送信するための方法であって、前記方法は、
ネットワークデバイスによって送信された参照信号を端末デバイスによって受信するステップと、
前記参照信号に基づいて、前記端末デバイスによってプリコーディング行列を取得するステップと、
前記プリコーディング行列の振幅情報を前記端末デバイスによって前記ネットワークデバイスに送信するステップであって、前記振幅情報は、広帯域のＮ個の第１サブバンドの振幅量子化情報を示すために使用される、送信するステップと、
前記プリコーディング行列の位相情報を、前記端末デバイスによって前記ネットワークデバイスに送信するステップであって、前記位相情報は、前記広帯域のＭ個の第２サブバンドの位相量子化情報を示すために使用され、前記Ｎ個の第１サブバンドの各第１サブバンドに含まれるリソースブロックの量は、前記Ｍ個の第２サブバンドの各第２サブバンドに含まれるリソースブロックの量よりも多く、ＭおよびＮは０よりも大きい整数である、送信するステップと、を含む、
方法。
【請求項９】
チャネル状態情報を送信するための方法であって、前記方法は、
ネットワークデバイスによって参照信号を端末デバイスに送信するステップであって、そうすることによって、前記端末デバイスが前記参照信号に基づいてプリコーディング行列を取得する、送信するステップと、
前記端末デバイスによって送信された前記プリコーディング行列の第１の振幅情報と第２の振幅情報を、前記ネットワークデバイスによって受信するステップであって、前記第１の振幅情報は広帯域の振幅量子化情報を示すために使用され、前記第２の振幅情報は、前記広帯域のＮ個の第１サブバンドの振幅量子化情報を示すために使用され、Ｎは０より大きい整数である、受信するステップと、
前記第１の振幅情報と前記第２の振幅情報に基づいて、前記ネットワークデバイスによって前記プリコーディング行列を決定するステップと、を含む、
方法。
【請求項１０】
前記第１の振幅情報は、前記広帯域の振幅量子化値を示すために具体的に使用され、前記広帯域の前記振幅量子化値はＫ個の振幅量子化値に対応し、前記第２の振幅情報は前記Ｎ個の第１サブバンドの各第１サブバンドの振幅量子化値を示すために具体的に使用され、各第１サブバンドの前記振幅量子化値は前記Ｋ個の振幅量子化値のうちの１つであり、Ｋは０より大きい整数である、請求項９に記載の方法。
【請求項１１】
前記第１の振幅情報は、前記広帯域の振幅量子化値を示すために具体的に使用され、前記第２の振幅情報は、前記広帯域の前記振幅量子化値に関連する前記Ｎ個の第１サブバンドの振幅量子化値の変動についての情報を示すために具体的に使用される、請求項９に記載の方法。
【請求項１２】
前記第１の振幅情報は、前記広帯域の前記振幅量子化値を示すために具体的に使用され、前記第２の振幅情報は、前記プリコーディング行列の前記Ｎ個の第１サブバンドの前記振幅量子化値を調整するための第１方向を示すためにさらに具体的に使用され、前記第１方向は、上方修正方向または下方修正方向であり、前記上方修正方向は、前記Ｎ個の第１サブバンドの前記振幅量子化値が前記広帯域の前記振幅量子化値に変動を加えたものであることを表し、前記下方修正方向は、前記Ｎ個の第１サブバンドの前記振幅量子化値が前記広帯域の前記振幅量子化値から変動を引いたものであることを表す、請求項９または１１に記載の方法。
【請求項１３】
前記第１の振幅情報と前記第２の振幅情報に基づいて、前記ネットワークデバイスによって前記プリコーディング行列を決定する前記ステップは、
前記第１の振幅情報に基づいて前記ネットワークデバイスによって前記広帯域の振幅情報を決定するステップと、
前記広帯域の前記振幅情報と前記第２の振幅情報に基づいて、前記ネットワークデバイスによって、前記Ｎ個の第１サブバンドの振幅情報を決定するステップと、
前記Ｎ個の第１サブバンドの前記振幅情報に基づいて、前記ネットワークデバイスによって、前記プリコーディング行列を決定するステップと、を含む、
請求項９乃至１２のいずれか一項に記載の方法。
【請求項１４】
前記第１の振幅情報は、前記プリコーディング行列に対応するＬ個の振幅量子化情報のうちの１つであり、前記Ｎ個の第１サブバンドの各第１サブバンドの前記振幅量子化情報は、前記プリコーディング行列に対応するＰ個の振幅量子化情報のうちの１つであり、ＬおよびＰは０以上の整数であり、ＬはＰよりも大きい、請求項９乃至１３のいずれか一項に記載の方法。
【請求項１５】
前記方法はさらに、
前記プリコーディング行列の位相情報を前記ネットワークデバイスによって前記端末デバイスに送信するステップを含み、前記位相情報は、前記広帯域のＭ個の第２サブバンドの位相量子化情報を示すために使用され、前記Ｎ個の第１サブバンドに含まれるリソースブロックの量は、前記Ｍ個の第２サブバンドに含まれるリソースブロックの量よりも多く、Ｍは０より大きい整数である、
請求項９乃至１４のいずれか一項に記載の方法。
【請求項１６】
前記端末デバイスによって送信された前記プリコーディング行列の第１の振幅情報と第２の振幅情報を前記ネットワークデバイスによって受信する前記ステップの前に、前記方法はさらに、
第１の命令情報を前記ネットワークデバイスによって前記端末デバイスに送信するステップであって、前記第１の命令情報は、前記端末デバイスに前記第１の振幅情報と前記第２の振幅情報をフィードバックさせるように命令するために使用される、送信するステップを含み、
前記端末デバイスによって送信された前記プリコーディング行列の第１の振幅情報と第２の振幅情報を前記ネットワークデバイスによって受信する前記ステップは、
前記第１の命令情報に従って、前記端末デバイスによって送信された前記第１の振幅情報と前記第２の振幅情報を、前記ネットワークデバイスによって受信するステップを含む、
請求項９乃至１５のいずれか一項に記載の方法。
【請求項１７】
チャネル状態情報を送信するための方法であって、方法は、
ネットワークデバイスによって参照信号を端末デバイスに送信するステップと、
前記端末デバイスによって送信されたプリコーディング行列の振幅情報を、前記ネットワークデバイスによって受信するステップであって、前記振幅情報は、広帯域のＮ個の第１サブバンドの振幅量子化情報を示すために使用される、受信するステップと、
前記端末デバイスによって送信された前記プリコーディング行列の位相情報を、前記ネットワークデバイスによって受信するステップであって、前記位相情報は、前記広帯域のＭ個の第２サブバンドの位相量子化情報を示すために使用され、前記Ｎ個の第１サブバンドに含まれるリソースブロックの量は、前記Ｍ個の第２サブバンドに含まれるリソースブロックの量よりも多く、ＮおよびＭは０より大きい整数である、受信するステップと、
前記プリコーディング行列の前記振幅情報と前記プリコーディング行列の前記位相情報とに基づいて、前記ネットワークデバイスによってプリコーディング行列を決定するステップと、を含む、
方法。
【請求項１８】
チャネル状態情報を送信するための装置であって、前記装置は、
ネットワークデバイスによって送信された参照信号を受信するように構成された、受信モジュールと、
前記参照信号に基づいて、プリコーディング行列を取得するように構成された、処理モジュールであって、ここで
前記処理モジュールは、前記プリコーディング行列の第１の振幅情報と第２の振幅情報を決定するようにさらに構成され、前記第１の振幅情報は、広帯域の振幅量子化情報を示すために使用され、前記第２の振幅情報は、前記広帯域のＮ個の第１サブバンドの振幅量子化情報を示すために使用され、Ｎは０より大きい整数である、処理モジュールと、
前記第１の振幅情報と前記第２の振幅情報を、前記ネットワークデバイスに送信するように構成された、送信モジュールと、を含む、
装置。
【請求項１９】
前記第１の振幅情報は、前記広帯域の振幅量子化値を示すために具体的に使用され、前記広帯域の前記振幅量子化値はＫ個の振幅量子化値に対応し、前記第２の振幅情報は前記Ｎ個の第１サブバンドの各第１サブバンドの振幅量子化値を示すために具体的に使用され、各第１サブバンドの前記振幅量子化値は前記Ｋ個の振幅量子化値のうちの１つであり、Ｋは０より大きい整数である、請求項１８に記載の装置。
【請求項２０】
前記第１の振幅情報は、前記広帯域の振幅量子化値を示すために具体的に使用され、前記第２の振幅情報は、前記広帯域の前記振幅量子化値に関連する前記Ｎ個の第１サブバンドの振幅量子化値の変動についての情報を示すために具体的に使用される、請求項１８に記載の装置。
【請求項２１】
前記第１の振幅情報は、前記広帯域の前記振幅量子化値を示すために具体的に使用され、前記第２の振幅情報は、前記プリコーディング行列の前記Ｎ個の第１サブバンドの前記振幅量子化値を調整するための第１方向を示すためにさらに具体的に使用され、前記第１方向は、上方修正方向または下方修正方向であり、前記上方修正方向は、前記Ｎ個の第１サブバンドの前記振幅量子化値が前記広帯域の前記振幅量子化値に変動を加えたものであることを表し、前記下方修正方向は、前記Ｎ個の第１サブバンドの前記振幅量子化値が前記広帯域の前記振幅量子化値から変動を引いたものであることを表す、請求項１８または２０に記載の装置。
【請求項２２】
前記第１の振幅情報は、前記プリコーディング行列に対応するＬ個の振幅量子化情報のうちの１つであり、前記Ｎ個の第１サブバンドの各第１サブバンドの前記振幅量子化情報は、前記プリコーディング行列に対応するＰ個の振幅量子化情報のうちの１つであり、ＬおよびＰは０以上の整数であり、ＬはＰよりも大きい、請求項１８乃至２１のいずれか一項に記載の装置。
【請求項２３】
前記送信モジュールはさらに、
前記プリコーディング行列の位相情報を前記ネットワークデバイスに送信するように構成され、前記位相情報は前記広帯域のＭ個の第２のサブバンドの位相量子化情報を示すために使用され、前記Ｎ個の第１サブバンドの各第１サブバンドに含まれるリソースブロックの量は、前記Ｍ個の第２サブバンドの各第２サブバンドに含まれるリソースブロックの量よりも多く、Ｍは０よりも大きい整数である、
請求項１８乃至２２のいずれか一項に記載の装置。
【請求項２４】
前記装置はさらに、
前記第１の振幅情報と前記第２の振幅情報が前記ネットワークデバイスに送信される前に、前記ネットワークデバイスによって送信された第１の命令情報を受信するように構成された受信モジュールであって、前記第１の命令情報は、前記装置に前記第１の振幅情報と前記第２の振幅情報をフィードバックさせるように命令するために使用される、受信モジュールを含み、
前記送信モジュールは、前記第１の命令情報に従って、前記第１の振幅情報と前記第２の振幅情報を前記ネットワークデバイスに送信するように具体的に構成される、
請求項１８乃至２３のいずれか一項に記載の装置。
【請求項２５】
チャネル状態情報を送信するための装置であって、前記装置は、
ネットワークデバイスによって送信された参照信号を受信するように構成された、受信モジュールと、
前記参照信号に基づいて、プリコーディング行列を取得するように構成された、処理モジュールと、
前記プリコーディング行列の振幅情報を、前記ネットワークデバイスに送信するように構成された、送信モジュールであって、前記振幅情報は、広帯域のＮ個の第１サブバンドの振幅量子化情報を示すために使用される、送信モジュールと、を含み、
前記送信モジュールは、前記プリコーディング行列の位相情報を前記ネットワークデバイスに送信するようにさらに構成され、前記位相情報は、前記広帯域のＭ個の第２のサブバンドの位相量子化情報を示すために使用され、前記Ｎ個の第１サブバンドの各第１サブバンドに含まれるリソースブロックの量は、前記Ｍ個の第２サブバンドの各第２サブバンドに含まれるリソースブロックの量よりも多く、ＮおよびＭは０より大きい整数である、
装置。
【請求項２６】
チャネル状態情報を送信するための装置であって、前記装置は、
参照信号を端末デバイスに送信するように構成され、そうすることによって、前記端末デバイスが前記参照信号に基づいてプリコーディング行列を取得する、送信モジュールと、
前記端末デバイスによって送信された前記プリコーディング行列の第１の振幅情報と第２の振幅情報を受信するように構成された受信モジュールであって、前記第１の振幅情報は、広帯域の振幅量子化情報を示すために使用され、前記第２の振幅情報は、前記広帯域のＮ個の第１サブバンドの振幅量子化情報を示すために使用され、Ｎは０より大きい整数である、受信モジュールと、
前記第１の振幅情報と前記第２の振幅情報に基づいて、プリコーディング行列を決定するように構成された、決定モジュールと、を含む、
装置。
【請求項２７】
前記第１の振幅情報は、前記広帯域の振幅量子化値を示すために具体的に使用され、前記広帯域の前記振幅量子化値は、Ｋ個の振幅量子化値に対応し、前記第２の振幅情報は、前記Ｎ個の第１サブバンドの各第１サブバンドの各第１サブバンドの振幅量子化値を示すために具体的に使用され、各第１サブバンドの前記振幅量子化値は前記Ｋ個の振幅量子化値のうちの１つであり、Ｋは０より大きい整数である、請求項２６に記載の装置。
【請求項２８】
前記第１の振幅情報は、前記広帯域の振幅量子化値を示すために具体的に使用され、前記第２の振幅情報は、前記広帯域の前記振幅量子化値に関連する前記Ｎ個の第１サブバンドの振幅量子化値の変動についての情報を示すために具体的に使用される、請求項２６に記載の装置。
【請求項２９】
前記第１の振幅情報は、前記広帯域の前記振幅量子化値を示すために具体的に使用され、前記第２の振幅情報は、前記プリコーディング行列の前記Ｎ個の第１サブバンドの前記振幅量子化値を調整するための第１方向を示すためにさらに具体的に使用され、前記第１方向は、上方修正方向または下方修正方向であり、前記上方修正方向は、前記Ｎ個の第１サブバンドの前記振幅量子化値が前記広帯域の前記振幅量子化値に変動を加えたものであることを表し、前記下方修正方向は、前記Ｎ個の第１サブバンドの前記振幅量子化値が前記広帯域の前記振幅量子化値から変動を引いたものであることを表す、請求項２６または２８に記載の装置。
【請求項３０】
前記決定モジュールがさらに、
前記第１の振幅情報に基づいて前記広帯域の振幅情報を決定し、
前記広帯域の前記振幅情報と前記第２の振幅情報に基づいて、前記Ｎ個の第１サブバンドの振幅情報を決定し、
前記Ｎ個の第１サブバンドの前記振幅情報に基づいて、プリコーディング行列を決定するように構成された、
請求項２６乃至２９のいずれか一項に記載の装置。
【請求項３１】
前記第１の振幅情報は、前記プリコーディング行列に対応するＬ個の振幅量子化情報のうちの１つであり、前記Ｎ個の第１サブバンドの各第１サブバンドの前記振幅量子化情報は、前記プリコーディング行列に対応するＰ個の振幅量子化情報のうちの１つであり、ＬおよびＰは０以上の整数であり、ＬはＰよりも大きい、請求項２６乃至３０のいずれか一項に記載の装置。
【請求項３２】
前記送信モジュールはさらに、
前記プリコーディング行列の位相情報を前記端末デバイスに送信するように構成され、前記位相情報は、前記広帯域のＭ個の第２サブバンドの位相量子化情報を示すために使用され、前記Ｎ個の第１サブバンドに含まれるリソースブロックの量は、前記Ｍ個の第２サブバンドに含まれるリソースブロックの量よりも多く、ＮおよびＭは０より大きい整数である、
請求項２６乃至３１のいずれか一項に記載の装置。
【請求項３３】
前記端末デバイスによって送信された前記プリコーディング行列の前記第１の振幅情報と前記第２の振幅情報が受信される前に、前記送信モジュールはさらに、第１の命令情報を前記端末デバイスに送信するように構成され、前記第１の命令情報は、前記端末デバイスに前記第１の振幅情報と前記第２の振幅情報をフィードバックさせるように命令するために使用され、
前記受信モジュールは具体的に、前記第１の命令情報に従って、前記端末デバイスによって送信された前記第１の振幅情報と前記第２の振幅情報を受信するように構成された、
請求項２６乃至３２のいずれか一項に記載の装置。
【請求項３４】
チャネル状態情報を送信するための装置であって、前記装置は、
参照信号を端末デバイスに送信するように構成された送信モジュールと、
前記端末デバイスによって送信されたプリコーディング行列の振幅情報を受信するように構成された受信モジュールであって、前記振幅情報は、広帯域のＮ個の第１サブバンドの振幅量子化情報を示すために使用され、ここで
前記受信モジュールは、前記端末デバイスによって送信された前記プリコーディング行列の位相情報を受信するようにさらに構成され、前記位相情報は、前記広帯域のＭ個の第２サブバンドの位相量子化情報を示すために使用され、前記Ｎ個の第１サブバンドに含まれるリソースブロックの量は、前記Ｍ個の第２サブバンドに含まれるリソースブロックの量よりも多く、ＮおよびＭは０より大きい整数である、受信モジュールと、
前記プリコーディング行列の前記振幅情報と前記プリコーディング行列の前記位相情報に基づいてプリコーディング行列を決定するように構成された、決定モジュールと、を含む、
装置。
【発明の詳細な説明】
【技術分野】
【０００１】
本発明は、通信分野に関し、特に、通信分野におけるチャネル状態情報を送信するための方法および装置に関する。
【背景技術】
【０００２】
既存のロングタームエボリューション（Long Term Evolution, 略して“LTE”）周波数分割複信（Frequency Division Duplexing, 略して“FDD”）システムにおいて、端末デバイスは、ネットワークデバイスによって送信された参照信号を使用してチャネル推定を実行し、次いでダウンリンクチャネルの状態情報を決定する。端末デバイスは、ダウンリンクチャネルの状態情報をネットワークデバイスにフィードバックする。例えば、端末デバイスは、プリコーディング行列インデックス（Precoding Matrix Index、略して“PMI”）、ランクインデックス（Rank Index、略して“RI”）、およびチャネル品質インデックス（Channel Quality Index、略して“CQI”）をネットワークデバイスに送信する。ネットワークデバイスは、インデックス情報に基づいてプリコーディング行列を選択する。ネットワークデバイスは、ダウンリンク通信品質を向上するために、プリコーディング行列を使用することによって処理を行う。従って、端末デバイスによってフィードバックされたチャネル状態情報の精度がダウンリンク通信品質に影響する。端末デバイスによってフィードバックされるチャネル状態情報の精度をどのように改善するかは、早急に解決される必要がある問題である。
【発明の概要】
【０００３】
本発明の実施形態は、状態情報のフィードバック精度を向上するために、チャネル状態情報を送信するための方法および装置を提供する。
【０００４】
第１の態様に従って、チャネル状態情報を送信するための方法が提供される。概方法は、ネットワークデバイスによって送信された参照信号を、端末デバイスによって受信するステップと、参照信号に基づいて、プリコーディング行列を端末デバイスによって取得するステップと、プリコーディング行列の第１の振幅情報と第２の振幅情報を、端末デバイスによって決定するステップであって、第１の振幅情報は、広帯域の振幅量子化情報を示すために使用され、第２の振幅情報は、広帯域のＮ個の第１サブバンドの振幅量子化情報を示すために使用され、第１の振幅情報と第２の振幅情報を、端末デバイスによってネットワークデバイスに送信するステップと、を含む。Ｎ個の第１サブバンドは広帯域の全てのサブバンドであるか、またはいくつかのサブバンドである。
【０００５】
従って、広帯域とサブバンドを組み合わせるフィードバック方法がプリコーディング行列の振幅情報をフィードバックするために使用されるとき、広帯域でのフィードバックと比較して、プリコーディング行列の振幅情報のフィードバックの精度を向上することができる。従って、振幅情報のフィードバックの精度は向上されることができる。
【０００６】
さらに、広帯域とサブバンドを組み合わせるフィードバック方法がプリコーディング行列の振幅情報をフィードバックするために使用されるとき、サブバンドでのフィードバックと比較して、プリコーディング行列の振幅情報をフィードバックするフィードバック量を減らすことができ、リソースオーバーヘッドを減らすことができる。
【０００７】
第１の態様の第１の可能な実施形態において、第１の振幅情報は、広帯域の振幅量子化値を示すために具体的に使用され、広帯域の振幅量子化値はＫ個の振幅量子化値に対応し、第２の振幅情報はＮ個の第１サブバンドの各第１サブバンドの振幅量子化値を示すために具体的に使用され、各第１サブバンドの振幅量子化値はＫ個の振幅量子化値のうちの１つであり、Ｋは０より大きい整数である。
【０００８】
具体的には、１つの広帯域の振幅量子化値は１つの第１サブバンドのＫ個の振幅量子化値に対応する。つまり、広帯域が３つの第１サブバンドを含む場合、各第１サブバンドはＫ個の振幅量子化値に対応する。
【０００９】
任意で、変動についての情報は、変動の値であってもよいし、変動の値のインデックスであってもよい。広帯域の振幅量子化値に関連するＮ個の第１サブバンドの振幅量子化値の変動についての情報は、Ｎ個の変動についての情報であってもよく、あるいはＮ個の第１サブバンドの振幅値によって共有される１つの変動であってもよい。例えば、１つの共通の変動は、Ｎ個の変動の平均値であってもよい。
【００１０】
第１の態様の前述の可能な実施形態を参照して、第１の態様の第２の可能な実施形態において、第１の振幅情報は広帯域の振幅量子化値を示すために具体的に使用され、第２の振幅情報は、プリコーディング行列のＮ個の第１サブバンドの振幅量子化値を調整するための第１方向を示すためにさらに具体的に使用され、第１方向は上方修正方向または下方修正方向であり、上方修正方向は、Ｎ個の第１サブバンドの振幅量子化値が広帯域の振幅量子化値に変動を加えたものであることを表し、下方修正方向は、Ｎ個の第１サブバンドの振幅量子化値が前記広帯域の振幅量子化値から変動を引いたものであることを表す。
【００１１】
任意で、第１の態様の第２の可能な実施形態における変動は、第１の態様の第１の可能な実施形態における変動であってもよく、あるいはプロトコルで指定された事前設定された変動であってもよい。
【００１２】
第１の態様の前述の可能な実施形態を参照して、第１の態様の第３の可能な実施形態において、第１の振幅情報は、広帯域の振幅量子化値と、広帯域の振幅量子化値に対応するＮ個の第１サブバンドの候補振幅量子化値セットとを示すために具体的に使用され、第２の振幅情報は、候補振幅量子化値セットのＮ個の第１サブバンドの振幅量子化値を示すためにさらに具体的に使用される。
【００１３】
具体的に、第１の振幅情報によって示される広帯域の振幅量子化値は、候補振幅セットに対応する。つまり、１つの広帯域の振幅値は１つの振幅値セットに対応する。振幅値のセットは、広帯域のサブバンドの振幅値であってもよい。この対応関係は、プロトコルで指定されてもよく、あるいはもちろん端末デバイス用にネットワークデバイスによって構成されてもよい。
【００１４】
第１の態様の前述の可能な実施形態を参照して、第１の態様の第４の実施形態において、第１の振幅情報は、プリコーディング行列に対応するＬ個の振幅量子化情報のうちの１つであり、Ｎ個の第１サブバンドの各第１サブバンドの振幅量子化情報は、プリコーディング行列に対応するＰ個の振幅量子化情報のうちの１つであり、ＬおよびＰは０以上の整数であり、ＬはＰよりも大きい。
【００１５】
第１の態様の前述の可能な実施形態を参照して、第１の態様の第５の実施形態において、方法はさらに、プリコーディング行列の位相情報を端末デバイスによってネットワークデバイスに送信するステップを含み、位相情報は広帯域のＭ個の第２のサブバンドの位相量子化情報を示すために使用され、Ｎ個の第１サブバンドの各第１サブバンドに含まれるリソースブロックの量は、Ｍ個の第２サブバンドの各第２サブバンドに含まれるリソースブロックの量よりも多く、ＭおよびＮは０よりも大きい整数であり、つまり、ＮがＭよりも小さいことが理解されよう。
【００１６】
第１の態様の前述の可能な実施形態を参照して、第１の態様の第６の実施形態において、第１の振幅情報と第２の振幅情報を端末デバイスによってネットワークデバイスに送信するステップは、第１の時間間隔で第１の振幅情報を端末デバイスによってネットワークデバイスに送信するステップと、第２の時間間隔で第２の振幅情報を端末デバイスによってネットワークデバイスに送信するステップと、を含み、第１の時間間隔は第２の時間間隔より長いか等しい。
【００１７】
任意で、端末デバイスは、第１の振幅情報と第２の振幅情報をネットワークデバイスに同時に送信してもよく、あるいは第１の振幅情報と第２の振幅情報を別々に送信してもよい。
【００１８】
第１の態様の前述の可能な実施形態を参照して、第１の態様の第７の実施形態において、第１の振幅情報と第２の振幅情報を端末デバイスによってネットワークデバイスに送信するステップの前に、方法はさらに、ネットワークデバイスによって送信された第１の命令情報を端末デバイスによって受信するステップを含み、第１の命令情報は、端末デバイスに第１の振幅情報と第２の振幅情報をフィードバックさせるように命令するために使用され、第１の振幅情報と第２の振幅情報を端末デバイスによってネットワークデバイスに送信するステップは、第１の命令情報に従って、第１の振幅情報と第２の振幅情報を端末デバイスによってネットワークデバイスに送信するステップを含む。
【００１９】
第１の態様の前述の可能な実施形態を参照して、第１の態様の第８の実施形態において、端末デバイスは、広帯域を使用することによって、プリコーディング行列の振幅情報をフィードバックしてもよく、あるいは端末デバイスは、サブバンドを使用することによって、プリコーディング行列の振幅情報をフィードバックしてもよく、あるいは端末デバイスは、広帯域およびサブバンドを組み合わせる方式を使用することによって、プリコーディング行列の振幅情報をフィードバックしてもよい。具体的に、端末デバイスは、命令方式を使用してもよい。例えば、本発明の実施形態において、端末デバイスがプリコーディング行列の振幅情報をフィードバックする前に、ネットワークデバイスは、端末デバイスにプリコーディング行列の振幅情報をどの方法を使用してフィードバックするかを指示するために、第２の命令情報を端末デバイスに送信し、端末デバイスはネットワークデバイスからの第２の命令情報に基づいて、プリコーディング行列の振幅情報をフィードバックするフィードバック方法を決定し、第２の命令情報が端末デバイスにプリコーディング行列の振幅情報をフィードバックするためにサブバンドの使用を指示したとき、端末デバイスはプリコーディング行列の振幅情報をフィードバックするためにサブバンドを使用し、あるいは第２の命令情報が端末デバイスにプリコーディング行列の振幅情報をフィードバックするために広帯域の使用を指示したとき、端末デバイスはプリコーディング行列の振幅情報をフィードバックするために広帯域を使用し、あるいは第２の命令情報が端末デバイスにプリコーディング行列の振幅情報をフィードバックするために広帯域およびサブバンドを組み合わせる方式の使用を指示したとき、端末デバイスはプリコーディング行列の振幅情報をフィードバックするために広帯域とサブバンドを組み合わせる方式を使用する。
【００２０】
第２の態様に従って、チャネル状態情報を送信するための方法が提供される。概方法は、参照信号をネットワークデバイスによって端末デバイスに送信するステップであって、そうすることによって端末デバイスが参照信号に基づいてプリコーディング行列を取得する、送信するステップと、端末デバイスによって送信されたプリコーディング行列の第１の振幅情報と第２の振幅情報を、ネットワークデバイスによって受信するステップであって、第１の振幅情報は広帯域の振幅量子化情報を示すために使用され、第２の振幅情報は、広帯域のＮ個の第１サブバンドの振幅量子化情報を示すために使用される、受信するステップと、第１の振幅情報と第２の振幅情報に基づいて、ネットワークデバイスによってプリコーディング行列を決定するステップと、を含む。
【００２１】
第２の態様の第１の可能な実施形態において、第１の振幅情報は、広帯域の振幅量子化値を示すために具体的に使用され、広帯域の振幅量子化値は、Ｋ個の振幅量子化値に対応し、第２の振幅情報は、Ｎ個の第１サブバンドの各第１サブバンドの振幅量子化値を示すために具体的に使用され、各第１サブバンドの振幅量子化値は、Ｋ個の振幅量子化値のうちの１つであり、Ｋは０より大きい整数である。
【００２２】
第２の態様の前述の可能な実施形態を参照して、第２の態様の第２の実施形態において、第１の振幅情報は、広帯域の振幅量子化値を示すために具体的に使用され、第２の振幅情報は、プリコーディング行列のＮ個の第１サブバンドの振幅量子化値を調整するための第１方向を示すためにさらに具体的に使用され、第１方向は上方修正方向または下方修正方向であり、上方修正方向は、Ｎ個の第１サブバンドの振幅量子化値が広帯域の振幅量子化値に変動を加えたものであることを表し、下方修正方向は、Ｎ個の第１サブバンドの振幅量子化値が広帯域の振幅量子化値から変動を引いたものであることを表す。
【００２３】
第２の態様の前述の可能な実施形態を参照して、第２の態様の第３の実施形態において、第１の振幅情報は、広帯域の振幅量子化値と広帯域の振幅量子化値に対応するＮ個の第１サブバンドの候補振幅量子化値セットとを示すために具体的に使用され、第２の振幅情報は、候補振幅量子化値セットにおいてＮ個の第１サブバンドの振幅量子化値を示すためにさらに具体的に使用される。
【００２４】
第２の態様の前述の可能な実施形態を参照して、第２の態様の第４の実施形態において、第１の振幅情報と第２の振幅情報に基づいて、ネットワークデバイスによってプリコーディング行列を決定する方法は、第１の振幅情報に基づいてネットワークデバイスによって広帯域の振幅情報を決定するステップと、広帯域の振幅情報と第２の振幅情報に基づいて、ネットワークデバイスによって、Ｎ個の第１サブバンドの振幅情報を決定するステップと、Ｎ個の第１サブバンドの振幅情報に基づいて、ネットワークデバイスによって、プリコーディング行列を決定するステップを含む。
【００２５】
第２の態様の前述の可能な実施形態を参照して、第２の態様の第５の実施形態において、第１の振幅情報は、プリコーディング行列に対応するＬ個の振幅量子化情報のうちの１つであり、Ｎ個の第１サブバンドの各第１サブバンドの振幅量子化情報は、プリコーディング行列に対応するＰ個の振幅量子化情報のうちの１つであり、ＬおよびＰは０以上の整数であり、ＬはＰよりも大きい。
【００２６】
第２の態様の前述の可能な実施形態を参照して、第２の態様の第６の実施形態において、方法はさらに、プリコーディング行列の位相情報をネットワークデバイスによって端末デバイスに送信するステップを含み、位相情報は、広帯域のＭ個の第２サブバンドの位相量子化情報を示すために使用され、Ｎ個の第１サブバンドに含まれるリソースブロックの量は、Ｍ個の第２サブバンドに含まれるリソースブロックの量よりも多い。
【００２７】
第２の態様の前述の可能な実施形態を参照して、第２の態様の第７の実施形態において、ネットワークデバイスによって、端末デバイスによって送信されたプリコーディング行列の第１の振幅情報と第２の振幅情報を受信するステップは、端末デバイスによって送信された第１の振幅情報を、第１の時間間隔でネットワークデバイスによって受信するステップと、ネットワークデバイスによって、第２の時間間隔で第２の振幅情報を端末デバイスに送信するステップと、を含み、第１の時間間隔は第２の時間間隔より長いか等しい。
【００２８】
第２の態様の前述の可能な実施形態を参照して、第２の態様の第８の実施形態において、端末デバイスによって送信されたプリコーディング行列の第１の振幅情報と第２の振幅情報をネットワークデバイスによって受信するステップの前に、方法はさらに、第１の命令情報をネットワークデバイスによって端末デバイスに送信するステップを含み、第１の命令情報は、端末デバイスに第１の振幅情報と第２の振幅情報をフィードバックさせるように命令するために使用され、端末デバイスによって送信されたプリコーディング行列の第１の振幅情報と第２の振幅情報をネットワークデバイスによって受信するステップは、第１の命令情報に従って、端末デバイスによって送信された第１の振幅情報と第２の振幅情報を、ネットワークデバイスによって受信するステップを含む。
【００２９】
第３の態様に従って、ネットワークデバイスによって送信された参照信号を端末デバイスによって受信するステップと、参照信号に基づいて、端末デバイスによってプリコーディング行列を取得するステップと、プリコーディング行列の振幅情報を端末デバイスによってネットワークデバイスに送信するステップであって、振幅情報は、広帯域のＮ個の第１サブバンドの振幅量子化情報を示すために使用される、ステップと、プリコーディング行列の位相情報を、端末デバイスによってネットワークデバイスに送信するステップであって、位相情報は、広帯域のＭ個の第２サブバンドの位相量子化情報を示すために使用され、Ｎ個の第１サブバンドの各第１サブバンドに含まれるリソースブロックの量は、Ｍ個の第２サブバンドの各第２サブバンドに含まれるリソースブロックの量よりも多い、ステップと、を含む。
【００３０】
第４の態様に従って、ネットワークデバイスによって参照信号を端末デバイスに送信するステップと、端末デバイスによって送信されたプリコーディング行列の振幅情報を、ネットワークデバイスによって受信するステップであって、振幅情報は、広帯域のＮ個の第１サブバンドの振幅量子化情報を示すために使用される、ステップと、端末デバイスによって送信されたプリコーディング行列の位相情報を、ネットワークデバイスによって受信するステップであって、位相情報は、広帯域のＭ個の第２のサブバンドの位相量子化情報を示すために使用され、Ｎ個の第１サブバンドに含まれるリソースブロックの量は、Ｍ個の第２サブバンドに含まれるリソースブロックの量よりも多い、ステップと、を含む。
【００３１】
第５の態様に従って、チャネル状態情報を送信するための装置が提供され、第１の態様、あるいは第１の態様の任意の可能な実施形態に従った方法を実行するように構成される。具体的には、装置は、第１の態様または第１の態様の任意の可能な実施形態に従った方法を実行するように構成されたユニットを含む。
【００３２】
第６の態様に従って、チャネル状態情報を送信するための装置が提供され、第２の態様、あるいは第２の態様の任意の可能な実施形態に従った方法を実行するように構成される。具体的には、装置は、第２の態様または第２の態様の任意の可能な実施形態に従った方法を実行するように構成されたユニットを含む。
【００３３】
第７の態様に従って、チャネル状態情報を送信するための装置が提供され、第１の態様、あるいは第１の態様の任意の可能な実施形態に従った方法を実行するように構成される。具体的には、装置は、第３の態様または第３の態様の任意の可能な実施形態に従った方法を実行するように構成されたユニットを含む。
【００３４】
第８の態様に従って、チャネル状態情報を送信するための装置が提供され、第２の態様、あるいは第２の態様の任意の可能な実施形態に従った方法を実行するように構成される。具体的には、装置は、第４の態様または第４の態様の任意の可能な実施形態に従った方法を実行するように構成されたユニットを含む。
【００３５】
第９の態様に従って、チャネル状態情報を送信するためのシステムが提供される。システムは、第７の態様または第７の態様の任意の可能な実施形態に従った装置、および第８の態様または第８の態様の任意の可能な実施形態に従った装置を含む。
【００３６】
第１０の態様に従って、チャネル状態情報を送信するための装置が提供され、デバイスは、受信機、送信機、メモリ、プロセッサ、およびバスシステムを含む。受信機、送信機、メモリ、およびプロセッサは、バスシステムを使用することによって接続される。メモリは、命令を格納するように構成される。プロセッサは、メモリに格納された命令を実行し、受信機が信号を受信するように制御し、送信機が信号を送信するように制御するように構成される。プロセッサがメモリに格納された命令を実行するとき、実行により、プロセッサが第１の態様または第１の態様の任意の可能な実施形態に従った方法を実行することができる。
【００３７】
第１１の態様に従って、チャネル状態情報を送信するための装置が提供され、デバイスは、受信機、送信機、メモリ、プロセッサ、およびバスシステムを含む。受信機、送信機、メモリ、およびプロセッサは、バスシステムを使用することによって接続される。メモリは、命令を格納するように構成される。プロセッサは、メモリに格納された命令を実行し、受信機が信号を受信するように制御し、送信機が信号を送信するように制御するように構成される。プロセッサがメモリに格納された命令を実行するとき、実行により、プロセッサが第２の態様または第２の態様の任意の可能な実施形態に従った方法を実行することができる。
【００３８】
第１２の態様に従って、チャネル状態情報を送信するための装置が提供され、デバイスは、受信機、送信機、メモリ、プロセッサ、およびバスシステムを含む。受信機、送信機、メモリ、およびプロセッサは、バスシステムを使用することによって接続される。メモリは、命令を格納するように構成される。プロセッサは、メモリに格納された命令を実行し、受信機が信号を受信するように制御し、送信機が信号を送信するように制御するように構成される。プロセッサがメモリに格納された命令を実行するとき、実行により、プロセッサが第３の態様または第３の態様の任意の可能な実施形態に従った方法を実行することができる。
【００３９】
第１３の態様に従って、チャネル状態情報を送信するための装置が提供され、デバイスは受信機、送信機、メモリ、プロセッサ、およびバスシステムを含む。受信機、送信機、メモリ、およびプロセッサは、バスシステムを使用することによって接続される。メモリは、命令を格納するように構成される。プロセッサは、メモリに格納された命令を実行し、受信機が信号を受信するように制御し、送信機が信号を送信するように制御するように構成される。プロセッサがメモリに格納された命令を実行するとき、実行により、プロセッサが第４の態様または第４の態様の任意の可能な実施形態に従った方法を実行することができる。
【００４０】
第１４の態様に従って、コンピュータプログラムを格納するように構成されたコンピュータ可読媒体が提供され、コンピュータプログラムは、第１の態様または第１の態様の任意の可能な実施形態に従った方法を実行するために使用される命令を含む。
【００４１】
第１５の態様に従って、コンピュータプログラムを格納するように構成されたコンピュータ可読媒体が提供され、コンピュータプログラムは、第２の態様または第２の態様の任意の可能な実施形態に従った方法を実行するために使用される命令を含む。
【００４２】
第１６の態様に従って、コンピュータプログラムを格納するように構成されたコンピュータ可読媒体が提供され、コンピュータプログラムは、第３の態様または第３の態様の任意の可能な実施形態に従った方法を実行するために使用される命令を含む。
【００４３】
第１７の態様に従って、コンピュータプログラムを格納するように構成されたコンピュータ可読媒体が提供され、コンピュータプログラムは、第４の態様または第４の態様の任意の可能な実施形態に従った方法を実行するために使用される命令を含む。
【図面の簡単な説明】
【００４４】
本発明の実施形態における技術的解決策をより明確に説明するために、以下は実施形態または従来技術を説明するために必要な添付図面を簡単に説明する。明らかに、以下の説明における添付図面は、本発明のいくつかの実施形態を示すだけであり、当業者は創造的な努力無しに、これらの添付図面から他の図面を導き出すことができる。
【図１】本発明の一実施形態に従ったアプリケーションシナリオの概略図である。
【図２】本発明の一実施形態に従ったチャネル状態情報を送信するための方法の概略図である。
【図３】本発明の一実施形態に従ったチャネル状態情報を送信するための別の方法の概略図である。
【図４】本発明の一実施形態に従ったチャネル状態情報を送信するための装置の概略ブロック図である。
【図５】本発明の一実施形態に従ったチャネル状態情報を送信するための別の装置の概略ブロック図である。
【図６】本発明の一実施形態に従ったチャネル状態情報を送信するためのさらに別の装置の概略ブロック図である。
【図７】本発明の一実施形態に従ったチャネル状態情報を送信するためのさらに別の装置の概略ブロック図である。
【図８】本発明の一実施形態に従ったチャネル状態情報を送信するためのさらに別の装置の概略ブロック図である。
【図９】本発明の一実施形態に従ったチャネル状態情報を送信するためのさらに別の装置の概略ブロック図である。
【図１０】本発明の一実施形態に従ったチャネル状態情報を送信するためのさらに別の装置の概略ブロック図である。
【図１１】本発明の一実施形態に従ったチャネル状態情報を送信するためのさらに別の装置の概略ブロック図である。
【発明を実施するための形態】
【００４５】
本発明の実施形態における技術的解決策を、本発明の実施形態における添付図面を参照して、以下に明確かつ完全に説明する。明らかに、記載された実施形態は、本発明の実施形態の一部であり、全てではない。本発明の実施形態に基づいて、創造的努力なしに当業者によって得られる他のすべての実施形態は、本発明の保護範囲内に入るものとする。
【００４６】
本発明の実施形態における技術的解決策は、たとえば、グローバルシステムフォーモバイルコミュニケーションズ（Global System of Mobile communication、略して“GSM”（登録商標））システム、符号分割多元接続（Code Division Multiple Access、略して“CDMA”）システム、広帯域符号分割多元接続（Wideband Code Division Multiple Access、略して“WCDMA”（登録商標））システム、汎用パケット無線サービス（General Packet Radio Service、略して“GPRS”）、ロングタームエボリューション（Long Term Evolution、略して“LTE”）システム、ＬＴＥ周波数分割複信（Frequency Division Duplex、略して“FDD”）システム、ＬＴＥ時分割複信（Time Division Duplex、略して“TDD”）、ユニバーサル移動体通信システム（Universal Mobile Telecommunication System、略して“UMTS”）、およびワールドワイドインターオペラビリティフォーマイクロウェーブアクセス（Worldwide Interoperability for Microwave Access、略して“WiMAX”）通信システム、将来的に可能な通信システムなどの、様々な通信システムに適用可能であることが理解されるべきである。
【００４７】
図１は、本発明の一実施形態に従ったアプリケーションシナリオの概略図である。図１の通信システム１００は、ネットワークデバイス１１０と端末デバイス１２０を含んでもよい。ネットワークデバイス１１０は、端末デバイス１２０のための通信サービスとコアネットワークへのアクセスを提供するように構成される。端末デバイス１２０は、ネットワークにアクセスするためにネットワークデバイス１１０によって送信された、同期信号、ブロードキャスト信号などを検索し、それによってネットワークとの通信を行う。図１に示される矢印は、端末デバイス１２０とネットワークデバイス１１０の間のセルラリンクを使用することによって実行されるアップリンク／ダウンリンク送信を表してもよい。
【００４８】
本発明の実施形態において、ネットワークデバイス１１０はモバイルデバイスと通信するように構成されてもよい。ネットワークデバイス１１０は、移動通信用グローバルシステム（Global System of Mobile communication、略して“GSM”（登録商標））または符号分割多元接続（Code Division Multiple Access、略して“CDMA”）における基地局装置（Base Transceiver Station、略して“BTS”）であってもよく、あるいは広帯域符号分割多元接続（Wideband Code Division Multiple Access、略して“WCDMA”（登録商標））における基地局（NodeB、略して“NB”）であってもよく、あるいはLTEにおける進化型NodeB（Evolutional Node B、略して“eNB”または“eNodeB”）であってもよく、あるいは中継局またはアクセスポイント、あるいは車載デバイス、ウェアラブルデバイス、および将来の５Ｇネットワークにおけるアクセスネットワークデバイスであってもよい。
【００４９】
端末デバイス１２０は、ユーザ装置（User Equipment、略して“UE”）、端末デバイス、移動局（Mobile Station、略して“MS”）、移動端末（Mobile Terminal）、あるいは将来の５Ｇネットワークにおける端末デバイスとして参照されてもよい。端末デバイスは、無線アクセスネットワーク（Radio Access Network、略して“RAN”）を使用することによって１つまたは複数のコアネットワークと通信してもよい。例えば、端末は、携帯電話（または“セルラ”電話とも呼ばれる）あるいはモバイル端末を備えたコンピュータであってもよい。例えば、端末は代わりに、無線アクセスネットワークで音声および／またはデータを交換する、携帯型、ポケットサイズ、ハンドヘルド型、コンピュータ内蔵型、あるいは車載移動機器であってもよい。
【００５０】
図２は、本発明の一実施形態に従ったチャネル状態情報を送信するための方法２００の概略フローチャートである。図２は、チャネル状態情報を送信するための方法におけるステップまたは動作を示すが、これらのステップまたは動作は一例にすぎない。別の動作または図２における動作の変動は本発明のこの実施形態においてさらに実行され得る。方法２００は、以下のステップを含む。
【００５１】
Ｓ２１０：ネットワークデバイス１１０は参照信号を端末デバイス１２０に送信する。
【００５２】
参照信号が、PMI、RI、およびCQIといった、ネットワークデバイスと端末デバイスとの間のチャネル状態情報（Channel State Information、略して“CIS”）を決定するために端末デバイスによって使用される。
【００５３】
Ｓ２２０：端末デバイス１２０はネットワークデバイス１１０によって送信された参照信号を受信し、端末デバイス１２０は参照信号に基づいてプリコーディング行列を取得する。
【００５４】
Ｓ２３０：端末デバイスはプリコーディング行列の第１の振幅情報と第２の振幅情報を決定し、第１の振幅情報は、広帯域の振幅量子化情報を示すために使用され、第２の振幅情報は、広帯域のＮ個の第１サブバンドの振幅量子化情報を示すために使用される。
【００５５】
任意の実施形態において、第１の振幅情報は、プリコーディング行列に対応するＬ個の振幅量子化情報のうちの１つであり、Ｎ個の第１サブバンドの各第１サブバンドの振幅量子化情報は、プリコーディング行列に対応するＰ個の振幅量子化情報のうちの１つであり、ＬおよびＰは０以上の整数であり、ＬはＰよりも大きい。
【００５６】
具体的には、広帯域に対応する振幅量子化情報セットに含まれる振幅量子化情報の量は、各第１サブバンドに対応する振幅量子化情報セットに含まれる振幅量子化情報の量よりも多い。広帯域または各第１サブバンドに対応する振幅量子化情報セットは、振幅量子化値から構成されるセットであってもよく、あるいは広帯域または各第１サブバンドに対応する振幅量子化情報セットは、振幅量子化値に対応するインデックスから構成されるセットであってもよい。例えば、広帯域に対応する振幅量子化値セットは、｛0.25, 0.5, 1, 2｝である。第１サブバンドに対応する４つの振幅量子化値セットは、｛0.125, 0.375｝、｛0.375, 0.625｝、｛0.875, 1.125｝、および｛0.875, 2.125｝である。広帯域に対応する振幅量子化値セットにおける0.25は、｛0.125, 0.375｝に対応する。広帯域に対応する振幅量子化値セットにおける0.5は、｛0.375, 0.625｝に対応する。広帯域に対応する振幅量子化値セットにおける1は、｛0.875, 1.125｝に対応する。広帯域に対応する振幅量子化値セットにおける2は、｛0.875, 2.125｝に対応する。
【００５７】
広帯域に対応する振幅量子化値は、プロトコルで指定されてもよく、あるいはネットワークにおいて設定されてもよく、各第１サブバンドに対応する振幅量子化値セットは、プロトコルで指定されてもよく、あるいはネットワークにおいて設定されてもよく、広帯域に対応する振幅量子化値セットと各第１サブバンドに対応する振幅量子化値セットとの間の対応関係は、プロトコルで指定されてもよく、あるいはネットワークにおいて設定されてもよいことを理解されたい。これは、本発明のこの実施形態では限定されない。
【００５８】
任意で、プリコーディング行列の要素の振幅値は、大きく変わることがある。従って、指示のためにユニバーサルインデックスを使用することができない。従って、正規化処理がプリコーディング行列の要素の振幅値に対して行われる必要があり、次いで正規化された振幅値が量子化される。
【００５９】
第１の振幅情報は、プリコーディング行列の広帯域の振幅量子化値であってもよく、あるいは、プリコーディング行列の広帯域の振幅量子化値のインデックスであってもよいことを理解されたい。これは、本発明のこの実施形態では限定されない。同様に、第２の振幅情報は、プリコーディング行列の広帯域のＮ個の第１サブバンドのＮ個の振幅量子化値であってもよく、あるいは、プリコーディング行列の広帯域のＮ個の第１サブバンドのＮ個の振幅量子化値のＮ個のインデックスであってもよい。
【００６０】
以下の例は、説明の便宜のために使用されることを理解されたい。広帯域のＮ個の第１サブバンドの各第１サブバンドの振幅量子化値が１つだけであると仮定する。実際には、Ｎ個の第１サブバンドの各第１サブバンドの振幅量子化値の量は、アンテナの数量に関係する。対応関係は、第１の振幅情報と第２の振幅情報との間で存在してもよい。対応関係は、第１の振幅情報によって示される広帯域の振幅量子化値と第１サブバンドの振幅量子化値との間の差の絶対値が閾値未満であることであってもよく、あるいは、対応関係は、第１の振幅情報によって示される広帯域の振幅量子化値とＮ個の第１サブバンドの振幅量子化値との間に、差分関係が存在することであってもよい。対応関係は、端末デバイスのために、ネットワークデバイスによって設定されてもよく、対応関係は、ネットワークデバイスと端末デバイスの両方に格納されてもよい。あるいは、対応関係はプロトコルで指定されてもよい。これは本発明のこの実施形態において限定されない。例えば、以下の３つの関係があってもよい。
【００６１】
第１の関係において、第１の振幅情報は、具体的に広帯域の振幅量子化値を示すために使用され、第２の振幅情報は、具体的に広帯域の振幅量子化値に関連するＮ個の第１サブバンドの振幅量子化値の変動についての情報を示すために使用される。つまり、変動についての情報は、Ｎ個の変動についての情報であってもよい。Ｎ個の変動についての情報は、Ｎ個の変動の値であってもよく、あるいはＮ個の変動の値に対応するインデックスであってもよい。変動についての情報は、代わりにＮ個の第１サブバンドによって共有される１つの振幅変動の値であってもよく、あるいは、変動についての情報は、Ｎ個の第１サブバンドによって共有される１つの振幅変動の値のインデックスであってもよい。例えば、広帯域が５つの第１のサブバンドを含むと仮定する。第１の振幅情報は、振幅量子化値が２のインデックスであってもよい。第２の振幅情報は、広帯域の振幅量子化値に関連する５つの第１サブバンドの振幅量子化値が２である５つの変動のインデックスであってもよい。５つの変動は、0.1、0.2、0.3、0.4、および0.5である。この場合、第２の振幅情報は、0.1、0.2、0.3、0.4、および0.5の５つのインデックスであってもよい。ネットワークデバイスと端末デバイスとの間のプロトコルで、変動が広帯域の振幅量子化値に基づいた増加量であることが指定されると仮定すると、ネットワークデバイスが第１の振幅情報および第２の振幅情報を受信したとき、Ｎ個の第１サブバンドの振幅量子化値が2.1、2.2、2.3、2.4、および2.5であることが決定されてもよい。あるいは、ネットワークデバイスおよび端末デバイスによって指定された変動が、広帯域の振幅量子化値に基づいた増加量である場合、５つの第１サブバンドの１つの第１サブバンドの振幅量子化値が1.8であると仮定すると、第２の振幅情報は変動が-0.2であるインデックスであってもよい。ネットワークデバイスおよび端末デバイスとの間のプロトコルで、変動が広帯域の振幅量子化値に基づいた減少量であることが指定されると仮定すると、ネットワークデバイスが第１の振幅情報および第２の振幅情報を受信したとき、Ｎ個の第１サブバンドの振幅量子化値が1.9、1.8、1.7、1.6、および1.5であることが決定されてもよい。
【００６２】
第２の関係において、第１の振幅情報が具体的に広帯域の振幅量子化値を示すために使用され、第２の振幅情報が具体的にプリコーディング行列のＮ個の第１サブバンドの振幅量子化値を調節するための第１方向を示すためにさらに使用され、第１方向は、上方修正方向または下方修正方向であり、上方修正方向は、Ｎ個の第１サブバンドの振幅量子化値が広帯域の振幅量子化値に変動を加えたものであることを表し、下方修正方向は、Ｎ個の第１サブバンドの振幅量子化値が広帯域の振幅量子化値から変動を引いたものであることを表す。つまり、第１の振幅情報によって示される振幅値は、依然としてプリコーディング行列の広帯域の振幅量子化値であり、第２の振幅情報は第１サブバンド上の調節の第１方向である。第１方向が上方修正方向であると仮定すると、第１サブバンドの振幅量子化値は、広帯域の振幅量子化値に変動を加えたものであり、加えられた変動は、プリセットされた変動であってもよく、あるいは追加された変動は、第１の関係のＮ個の変動であってもよい。第１サブバンドのプリセットされた変動は、等しくても等しくなくてもよい。第１方向が下方修正方向であると仮定すると、第１サブバンドの振幅量子化値は、広帯域の振幅量子化値から変動を引いたものである。引かれた変動は、プリセットされた変動であってもよく、あるいは引かれた変動は、第１の関係の変動であってもよい。つまり、第１の関係と第２の関係は、第１の振幅情報と第２の振幅情報との間に同時に存在してもよい。第１の振幅情報は広帯域の振幅量子化値を示し、第２の振幅情報は、広帯域に関連する第１サブバンドの変動および変動の調整方向を示す。これは本発明のこの実施形態において限定されない。
【００６３】
例えば、広帯域が５つの第１サブバンドを含むと仮定する。第１の振幅情報は、広帯域の振幅量子化値が２であるインデックスであってもよい。第２の振幅情報は、広帯域の２である振幅量子化値に関連する５つの第１サブバンドの振幅量子化値の５つの第１方向を示してもよい。５つの第１方向は、それぞれ上方修正方向、下方修正方向、下方修正方向、上方修正方向、および上方修正方向である。例えば、上方修正方向のインデックスは１であり、下方修正方向のインデックスは０である。この場合、第２の振幅情報は10011である。ネットワークデバイスと端末デバイスとの間のプロトコルで振幅量子化値の調整サイズが0.1であることが指定されると仮定すると、ネットワークデバイスが第１の振幅情報と第２の振幅情報を受信したとき、第１の振幅情報と第２の振幅情報に基づいて、５つの第１サブバンドの振幅量子化値が2.1、1.9、1.9、2.1、および2.1であることが決定されてもよい。もちろん、第１の振幅情報は、広帯域の振幅量子化値が２であるインデックスであってもよく、第２の振幅情報は、広帯域の振幅量子化値に関連する５つの第１サブバンドの振幅量子化値の変動が0.1、0.1、0.3、0.4、および0.2であるインデックス、および広帯域の振幅量子化値に関連する５つの第１サブバンドの振幅量子化値は調整方向が10011であってもよい。ネットワークデバイスが第１の振幅情報と第２の振幅情報を受信したとき、第１の振幅情報と第２の振幅情報に基づいて、５つの第１サブバンドの振幅値がそれぞれ2.1、1.9、1.7、2.3、および2.2であることが決定されてもよい。
【００６４】
第３の関係において、第１の振幅情報は広帯域の振幅量子化値を示すために具体的に使用され、広帯域の振幅量子化値はＫ個の振幅量子化値に対応し、第２の振幅量子化値はＮ個の第１サブバンドの各第１サブバンドの振幅量子化値を示すために具体的に使用され、各第１サブバンドの振幅量子化値はＫ個の振幅量子化値のうちの１つであり、Ｋは０より大きい整数である。つまり、広帯域の１つの振幅量子化値は、Ｋ個の振幅量子化値に対応し、１つの第１サブバンドの振幅量子化値は、Ｋ個の振幅量子化値のうちの１つである。端末デバイスが第１の振幅情報をネットワークデバイスに送信するとき、第１の振幅情報によって示される広帯域の振幅量子化値は、Ｋ個の振幅量子化値に対応する。端末デバイスが第２の振幅情報をネットワークデバイスに送信するとき、ネットワークデバイスは第２の振幅情報によって示される情報に基づいて、Ｋ個の振幅量子化値からＮ個の第１サブバンドの振幅量子化値を決定してもよい。
【００６５】
例えば、広帯域は２つの第１サブバンドを含んでもよい。第１の振幅情報は、広帯域の振幅量子化値が０．２５であるインデックスであってもよい。0.25に対応する広帯域の３つの振幅量子化値は、｛0.125, 0.2, 0.375｝である。端末デバイスは、セットから２つの振幅値を決定し、２つの第１サブバンドの振幅量子化値が0.125および0.375であることを見つける。0.125と0.375のインデックスは、次いでネットワークデバイスに報告される。ネットワークデバイスは、0.25のインデックスに基づいて、広帯域の振幅値を決定し、次に、0.25である振幅値に基づいて、セット｛0.125, 0.2, 0.375｝を見つけ、0.125と0.375のインデックスに基づいて、セット内のサブバンドの振幅値が0.125および0.375であることを決定してもよく、そうすることによって、さらにサブバンドの振幅値を決定する。
【００６６】
第１の振幅情報と第２の振幅情報との間に存在する３つの関係について、ネットワークデバイスと端末デバイスとの間で使用される３つの関係の内の１つがプロトコルで指定され得ることを理解されたい。あるいは、ネットワークデバイスは、端末デバイスに対して、第１の振幅情報と第２の振幅情報を決定するために端末デバイスによってどの方法が使用されるかを構成してもよい。もちろん、第１の振幅情報と第２の振幅情報との間の３つの関係は、３つの種類の識別情報によって識別されてもよい。ネットワークデバイスと端末デバイスが、第１の振幅情報と第２の振幅情報との間で使用される関係を決定するとき、関係の識別情報はダウンリンクメッセージで搬送され、ダウンリンクメッセージは端末デバイスに送信される。例えば、識別情報は、指示のためにプロトコルで指定されたスペシャルビットで搬送される。あるいは、スペシャルビットは第１の振幅情報と第２の振幅情報との間の異なる対応関係を表すために異なる値を有する。例えば、ビットの値が１であるとき、ビットは第１の関係を表す。これは本発明のこの実施形態において限定されない。
【００６７】
上述の３つの関係は、例として説明されたに過ぎないことを理解されたい。任意の関係が、第１の振幅情報と第２の振幅情報との間に存在してもよい。例えば、第１の振幅情報によって示される広帯域の振幅値は、数値を使用することによって量子化されず、代わりに、広帯域の振幅値が属する区間に基づいて示されてもよい。例えば、広帯域の振幅値について、３つの区間、つまり第１の区間、第２の区間、第３の区間が存在する。第１の振幅情報によって示される第１の区間のインデックスは、１つのサブバンドの第１のセットに対応し、第１の振幅情報によって示される第２の区間のインデックスは、１つのサブバンドの第２のセットに対応し、第１の振幅情報によって示される第３の区間のインデックスは、１つのサブバンドの第３のセットに対応する、等である。従って、第１の振幅情報と第２の振幅情報との間の関係は、本発明のこの実施形態において何ら限定されない。
【００６８】
Ｓ２４０：端末デバイスは、第１の振幅情報と第２の振幅情報をネットワークデバイスに送信する。
【００６９】
任意の実施形態において、Ｓ２４０は、第１の時間間隔で第１の振幅情報を端末デバイスによってネットワークデバイスに送信するステップと、第２の時間間隔で第２の振幅情報を端末デバイスによってネットワークデバイスに送信するステップとを含み、端末デバイスによって送信されたプリコーディング行列の第１の振幅情報と第２の振幅情報をネットワークデバイスによって受信するステップは、端末デバイスによって送信された第１の振幅情報を、第１の時間間隔でネットワークデバイスによって受信するステップと、第２の振幅情報を第２の時間間隔で、ネットワークデバイスによって端末デバイスに送信するステップと、を含み、第１の時間間隔は第２の時間間隔より長いか等しい。
【００７０】
具体的に、端末デバイスは、第１の振幅情報と第２の振幅情報をネットワークデバイスに同時に送信してもよく、あるいは第１の振幅情報と第２の振幅情報を別々に送信してもよい。第１の時間間隔が第２の時間間隔と等しいとき、２つの場合があってもよく、第１の場合において、端末デバイスは、第１の振幅情報と第２の振幅情報を同時にネットワークデバイスに周期的に送信し、ネットワークデバイスは、第１の振幅情報と第２の振幅情報を周期的に受信する。第２の場合において、端末デバイスは、第１の振幅情報と第２の振幅情報をネットワークデバイスに別々に送信するが、２種類の振幅情報を送信するために、同じ送信間隔が使用される。第１の時間間隔が第２の時間間隔よりも長いとき、つまり、広帯域の振幅情報をフィードバックする間隔がサブバンドの振幅情報をフィードバックする間隔よりも長い場合があり、サブバンドの振幅情報のフィードバックは、広帯域の振幅情報のフィードバックに依存するためである。このように、広帯域の振幅情報をフィードバックする回数を減らすことができ、振幅情報をフィードバックするオーバーヘッドを減らすことができる。第１の振幅情報と第２の振幅情報を送信する具体的な送信方法は、本発明のこの実施形態において限定されない。任意の送信方法が使用され得る。プロトコルで指定される送信方法が使用されてもよく、あるいは端末デバイスのためにネットワークデバイスによって設定される送信方法が使用されてもよい。
【００７１】
任意の実施形態において、端末デバイスによって送信されたプリコーディング行列の第１の振幅情報と第２の振幅情報をネットワークデバイスによって受信するステップの前に、方法２００はさらに、第１の命令情報を前記ネットワークデバイスによって端末デバイスに送信するステップをさらに含み、第１の命令情報は、端末デバイスに第１の振幅情報と前記第２の振幅情報をフィードバックさせるように命令するために使用され、第１の振幅情報と第２の振幅情報を、端末デバイスによってネットワークデバイスに送信するステップの前に、方法２００はさらに、ネットワークデバイスによって送信された第１の命令情報を端末デバイスによって受信するステップを含み、第１の振幅情報と第２の振幅情報を端末デバイスによってネットワークデバイスに送信するステップは、第１の命令情報に従って、第１の振幅情報と第２の振幅情報を端末デバイスによってネットワークデバイスに送信するステップを含む。端末デバイスによって送信されたプリコーディング行列の第１の振幅情報と第２の振幅情報を、ネットワークデバイスによって受信するステップは、第１の命令情報に従って、端末デバイスによって送信された第１の振幅情報と第２の振幅情報をネットワークデバイスによって受信するステップを含む。
【００７２】
具体的には、ネットワークにおいて、端末デバイスがプリコーディング行列の広帯域とサブバンドの振幅量子化情報の両方をネットワークデバイスに送信するように構成されてもよい。例えば、ネットワークデバイスによって送信される第１命令情報は、プリコーディング行列の広帯域とサブバンドの振幅量子化情報を両方送信するように端末デバイスに命令するために使用される。
【００７３】
任意の実施形態において、端末デバイスはプリコーディング行列の広帯域の振幅情報をネットワークデバイスに送信してもよく、端末デバイスはプリコーディング行列のサブバンドの振幅情報をネットワークデバイスに送信してもよく、あるいは端末デバイスがプリコーディング行列の広帯域とサブバンドの振幅情報の両方をネットワークデバイスに送信してもよい。端末デバイスがプリコーディング行列の振幅情報を送信するために使用する特定の方法について、ネットワークデバイスは、端末デバイスがプリコーディング行列の振幅情報を送信するために使用する方法を示すために、端末デバイスに命令情報を送信してもよい。
【００７４】
Ｓ２５０：ネットワークデバイスが第１の振幅情報と第２の振幅情報を受信し、第１の振幅情報と第２の振幅情報に基づいてプリコーディング行列を決定する。ここで決定されたプリコーディング行列は、Ｓ２２０で決定されたプリコーディング行列と同じであってもよく、あるいはネットワークデバイスによって決定されたプリコーディング行列はＳ２２０で決定されたプリコーディング行列と類似してもよい
【００７５】
任意の実施形態において、Ｓ２５０は、第１の振幅情報に基づいてネットワークデバイスによって広帯域の振幅情報を決定するステップと、広帯域の振幅情報と第２の振幅情報に基づいて、ネットワークデバイスによって、Ｎ個の第１サブバンドの振幅情報を決定するステップと、Ｎ個の第１サブバンドの振幅情報に基づいて、ネットワークデバイスによって、プリコーディング行列を決定するステップと、を含む。つまり、第１の振幅情報と第２の振幅情報を受信した後に、ネットワークデバイスは、第１の振幅情報に基づいて広帯域の振幅値をまず決定し、次いで広帯域の振幅値に基づいて、広帯域のＮ個の第１サブバンドの振幅値を決定する。具体的には、ネットワークデバイスと端末デバイスの両方が、第１の振幅情報と第２の振幅情報との間に３つの関係のうちの１つが存在することをわかるとき、その関係に基づいて、Ｎ個の第１サブバンドの振幅値が決定され、プリコーディング行列がさらに決定される。
【００７６】
任意の実施形態において、方法２００はさらに、プリコーディング行列の位相情報を端末デバイスによってネットワークデバイスに送信するステップを含み、位相情報は、広帯域のＭ個の第２サブバンドの位相量子化情報を示すために使用され、Ｎ個の第１サブバンドに含まれるリソースブロックの量は、Ｍ個の第２サブバンドに含まれるリソースブロックの量よりも多い。
【００７７】
具体的には、プリコーディング行列の要素の中で、位相情報は振幅情報よりも重要である。従って、位相情報を送信するための広帯域のＭ個の第２サブバンドに含まれるリソースブロックの量は、Ｎ個の第１サブバンドに含まれるリソースブロックの量より少なくてもよい。このようにして、位相情報のフィードバック精度がさらに保証され得る。
【００７８】
図３は、本発明の一実施形態に従ったチャネル状態情報を送信するための方法３００を示す。方法３００は、以下のステップを含む。
【００７９】
Ｓ３１０：ネットワークデバイスが端末デバイスに参照信号を送信する。
【００８０】
Ｓ３２０：端末デバイスがネットワークデバイスによって送信された参照信号を受信し、端末デバイスは参照信号に基づいてプリコーディング行列を取得する。
【００８１】
Ｓ３３０：端末デバイスがプリコーディング行列の振幅情報をネットワークデバイスに送信し、ネットワークデバイスは端末デバイスによって送信されたプリコーディング行列の振幅情報を受信し、振幅情報は、広帯域のＮ個の第１サブバンドの振幅量子化情報を示すために使用される。
【００８２】
Ｓ３４０：端末デバイスが、プリコーディング行列の位相情報をネットワークデバイスに送信し、ネットワークデバイスは、端末デバイスによって送信されたプリコーディング行列の位相情報を受信し、位相情報は、広帯域のＭ個の第２サブバンドの位相量子化情報を示すために使用され、Ｎ個の第１サブバンドの各第１サブバンドに含まれるリソースブロックの量は、Ｍ個の第２サブバンドの各第２サブバンドに含まれるリソースブロックの量よりも多い。
【００８３】
Ｓ３５０：ネットワークデバイスが、端末デバイスによって送信されたプリコーディング行列の振幅情報を受信し、ネットワークデバイスは、端末デバイスによって送信されたプリコーディング行列の位相情報を受信し、ネットワークデバイスは、プリコーディング行列の振幅情報をとプリコーディング行列の位相情報に基づいて、プリコーディング行列を決定する。ここで決定されたプリコーディング行列は、Ｓ３２０で決定されたプリコーディング行列と同じであってもよい。あるいは、ネットワークデバイスによって決定されたプリコーディング行列は、Ｓ３２０で決定されたプリコーディング行列と類似してもよい。
【００８４】
具体的には、プリコーディング行列の位相情報は、プリコーディング行列の振幅情報よりも重要である。従って、プリコーディング行列の位相情報を送信するために、サブバンド方式が使用される必要がある。同じ広帯域上でサブバンド方式がプリコーディング行列の振幅情報を送信するためにも使用されるとき、振幅情報を送信するための各サブバンドに含まれるリソースブロックの量は、位相情報を送信するための各サブバンドに含まれるリソースブロックの量よりも多い。つまり、ＭはＮよりも大きい。このように、プリコーディング行列の位相情報と振幅情報をフィードバックする間、フィードバック時間が減少し、プリコーディング行列の位相情報をフィードバックする精度を向上することができる。
【００８５】
本発明の実施形態においてチャネル状態情報を送信するための方法は、図２および図３を参照して上記で説明された。本発明の実施形態においてチャネル状態情報を送信するための装置は、図４乃至図１１を参照して以下に説明される。
【００８６】
図４は、本発明の一実施形態に従ったチャネル状態情報を送信するための装置４００の概略図である。装置は、例えば方法２００における端末デバイスであってもよい。装置４００は、
ネットワークデバイスによって送信された参照信号を受信するように構成された、受信モジュール４１０と、
参照信号に基づいて、プリコーディング行列を取得するように構成された、処理モジュール４２０であって、
処理モジュール４２０は、プリコーディング行列の第１の振幅情報と第２の振幅情報を決定するようにさらに構成され、第１の振幅情報は、広帯域の振幅量子化情報を示すために使用され、第２の振幅情報は、広帯域のＮ個の第１サブバンドの振幅量子化情報を示すために使用される、処理モジュール４２０と、
第１の振幅情報と第２の振幅情報を、ネットワークデバイスに送信するように構成された、送信モジュール４３０と、を含む。
【００８７】
任意の実施形態において、第１振幅情報は、具体的に広帯域の振幅量子化値を示すために使用され、広帯域の振幅量子化値はＫ個の振幅量子化値に対応し、第２の振幅情報はＮ個の第１サブバンドの各第１サブバンドの振幅量子化値を示すために具体的に使用され、各第１サブバンドの振幅量子化値はＫ個の振幅量子化値のうちの１つであり、Ｋは０より大きい整数である。
【００８８】
任意の実施形態において、第１の振幅情報は、広帯域の振幅量子化値を示すために具体的に使用され、第２の振幅情報は、具体的にプリコーディング行列のＮ個の第１サブバンドの振幅量子化値を調整するための第１方向を示すためにさらに使用され、第１方向は、上方修正方向または下方修正方向であり、上方修正方向は、Ｎ個の第１サブバンドの振幅量子化値が広帯域の振幅量子化値に変動を加えたものであることを表し、下方修正方向は、Ｎ個の第１サブバンドの振幅量子化値が広帯域の振幅量子化値から変動を引いたものであることを表す。
【００８９】
任意の実施形態において、第１の振幅情報は、広帯域の振幅量子化値と、広帯域の振幅量子化値に対応するＮ個の第１サブバンドの候補の振幅量子化値セットと、を示すために具体的に使用され、第２の振幅情報は、具体的に候補の振幅量子化値セットのＮ個の第１サブバンドの振幅量子化値を示すためにさらに使用される。
【００９０】
任意の実施形態において、第１の振幅情報は、プリコーディング行列に対応するＬ個の振幅量子化情報のうちの１つであり、Ｎ個の第１サブバンドの各第１サブバンドの振幅量子化情報は、プリコーディング行列に対応するＰ個の振幅量子化情報のうちの１つであり、ＬおよびＰは０以上の整数であり、ＬはＰよりも大きい。
【００９１】
任意の実施形態において、送信モジュール４３０はさらに、プリコーディング行列の位相情報をネットワークデバイスに送信するように構成され、位相情報は、広帯域のＭ個の第２サブバンドの位相量子化情報を示すために使用され、Ｎ個の第１サブバンドの各第１サブバンドに含まれるリソースブロックの量は、Ｍ個の第２サブバンドの各第２サブバンドに含まれるリソースブロックの量よりも多い。
【００９２】
任意の実施形態において、装置４００は、第１の振幅情報と第２の振幅情報がネットワークデバイスに送信される前に、ネットワークデバイスによって送信された第１の命令情報を受信するように構成された受信モジュールをさらに含み、第１の命令情報は、端末デバイスに第１の振幅情報と第２の振幅情報をフィードバックさせるように命令するために使用され、送信モジュール４３０は、第１の命令情報に従って第１の振幅情報と第２の振幅情報をネットワークデバイスに送信するように具体的に構成される。
【００９３】
図５は、本発明の一実施形態に従ったチャネル状態情報を送信するための装置５００の概略図である。装置は、例えば、方法２００におけるネットワークデバイスであってもよい。装置５００は、
参照信号を端末デバイスに送信するように構成され、そうすることによって、端末デバイスが参照信号に基づいてプリコーディング行列を取得する、送信モジュール５１０と、
端末デバイスによって送信されたプリコーディング行列の第１の振幅情報と第２の振幅情報を受信するように構成された、受信モジュール５２０であって、第１の振幅情報は、広帯域の振幅量子化情報を示すために使用され、第２の振幅情報は、広帯域のＮ個の第１サブバンドの振幅量子化情報を示すために使用される、受信モジュールと、
第１の振幅情報と第２の振幅情報に基づいて、プリコーディング行列を決定するように構成された、決定モジュール５３０と、を含む。
【００９４】
任意の実施形態において、第１の振幅情報は、広帯域の振幅量子化値を示すために具体的に使用され、広帯域の振幅量子化値はＫ個の振幅量子化値に対応し、第２の振幅情報は、Ｎ個の第１サブバンドの各第１サブバンドの振幅量子化値を示すために具体的に使用され、各第１サブバンドの振幅量子化値はＫ個の振幅量子化値のうちの１つであり、Ｋは０より大きい整数である。
【００９５】
任意の実施形態において、第１の振幅情報は、広帯域の振幅量子化値を示すために具体的に使用され、第２の振幅情報は、プリコーディング行列のＮ個の第１サブバンドの振幅量子化値を調整するための第１方向を示すためにさらに具体的に使用され、第１方向は、上方修正方向または下方修正方向であり、上方修正方向は、Ｎ個の第１サブバンドの振幅量子化値が広帯域の振幅量子化値に変動を加えたものであることを表し、下方修正方向は、Ｎ個の第１サブバンドの振幅量子化値が広帯域の振幅量子化値から変動を引いたものであることを表す。
【００９６】
任意の実施形態において、第１の振幅情報は、広帯域の振幅量子化値と、広帯域の振幅量子化値に対応するＮ個の第１サブバンドの候補振幅量子化値セットとを示すために具体的に使用され、第２の振幅情報は、候補振幅量子化値セットのＮ個の第１サブバンドの振幅量子化値を示すために具体的に使用される。
【００９７】
任意の実施形態において、決定モジュール５３０は具体的に、第１の振幅情報に基づいて広帯域の振幅情報を決定し、広帯域の振幅情報と第２の振幅情報に基づいてＮ個の第１サブバンドの振幅情報を決定し、Ｎ個の第１サブバンドの振幅情報に基づいてプリコーディング行列を決定するように構成される。
【００９８】
任意の実施形態において、第１の振幅情報は、プリコーディング行列に対応するＬ個の振幅量子化情報のうちの１つであり、Ｎ個の第１サブバンドの各第１サブバンドの振幅量子化情報は、プリコーディング行列に対応するＰ個の振幅量子化情報のうちの１つであり、ＬおよびＰは０以上の整数であり、ＬはＰよりも大きい。
【００９９】
任意の実施形態において、送信モジュール５１０は、プリコーディング行列の位相情報を端末デバイスに送信するようにさらに構成され、位相情報は、広帯域のＭ個の第２サブバンドの位相量子化情報を示すために使用され、Ｎ個の第１サブバンドに含まれるリソースブロックの量は、Ｍ個の第２サブバンドに含まれるリソースブロックの量よりも多い。
【０１００】
任意の実施形態において、送信モジュール５１０は、端末デバイスによって送信されたプリコーディング行列の第１の振幅情報と第２の振幅情報が受信される前に、第１の命令情報を端末デバイスに送信するようにさらに構成され、第１の命令情報は、装置５００に第１の振幅情報と第２の振幅情報をフィードバックするように命令するために使用され、受信モジュール５２０は、第１の命令情報に従って端末デバイスによって送信された第１の振幅情報と第２の振幅情報を受信するように具体的に構成される。
【０１０１】
図６は、本発明の一実施形態に従ったチャネル状態情報を送信するための装置６００の概略図である。装置は、例えば、方法３００における端末デバイスであってもよい。装置６００は、
ネットワークデバイスによって送信された参照信号を受信するように構成された、受信モジュール６１０と、
参照信号に基づいてプリコーディング行列を取得するように構成された、処理モジュール６２０と、
プリコーディング行列の振幅情報をネットワークデバイスに送信するように構成された、送信モジュール６３０であって、振幅情報は、広帯域のＮ個の第１サブバンドの振幅量子化情報を示すために使用され、ここで、
送信モジュール６３０は、プリコーディング行列の位相情報をネットワークデバイスに送信するようにさらに更新され、位相情報は広帯域のＭ個の第２サブバンドの位相量子化情報を示すために使用され、Ｎ個の第１サブバンドの各第１サブバンドに含まれるリソースブロックの量は、Ｍ個の第２サブバンドの各第２サブバンドに含まれるリソースブロックの量よりも多い、送信モジュールと、を含む。
【０１０２】
図７は、本発明の一実施形態に従ったチャネル状態情報を送信するための装置７００の概略図である。装置は、例えば、方法３００におけるネットワークデバイスであってもよい。装置７００は、
参照信号を端末デバイスに送信するように構成された、送信モジュール７１０と、
端末デバイスによって送信されたプリコーディング行列の振幅情報を受信するように構成された、受信モジュール７２０であって、振幅情報は、広帯域のＮ個の第１サブバンドの振幅量子化情報を示すために使用され、ここで、
受信モジュール７２０は、端末デバイスによって送信されたプリコーディング行列の位相情報を受信するようにさらに構成され、位相情報は広帯域のＭ個の第２のサブバンドの位相量子化情報を示すために使用され、Ｎ個の第１サブバンドに含まれるリソースブロックの量は、Ｍ個の第２サブバンドに含まれるリソースブロックの量よりも多い、受信モジュールと、
プリコーディング行列の振幅情報とプリコーディング行列の位相情報に基づいてプリコーディング行列を決定するように構成された、決定モジュール７３０と、を含む。
【０１０３】
図８は本発明の一実施形態に従ったチャネル状態情報を送信するための装置８００を示す。例えば、装置８００は、方法２００における端末デバイスであってもよい。装置８００は、受信機８１０、プロセッサ８２０、送信機８３０、メモリ８４０、およびバスシステム８５０を含む。受信機８１０、プロセッサ８２０、送信機８３０、およびメモリ８４０は、バスシステム８５０を使用することによって接続される。メモリ８４０は、命令を格納するように構成される。プロセッサ８２０は、メモリ８４０に格納された命令を実行するように構成され、受信機８１０が信号を受信するように制御し、送信機８３０が命令を送信するように制御する。
【０１０４】
受信機８１０は、ネットワークデバイスによって送信された参照信号を受信するように構成される。プロセッサ８２０は、参照信号に基づいてプリコーディング行列を取得し、プリコーディング行列の第１の振幅情報と第２の振幅情報を決定するように構成され、第１の振幅情報は、広帯域の振幅量子化情報を示すために使用され、第２の振幅情報は、広帯域のＮ個の第１サブバンドの振幅量子化情報を示すために使用される。送信機８３０は、第１の振幅情報と第２の振幅情報をネットワークデバイスに送信するように構成される。
【０１０５】
上記の実施形態の方法２００において、装置８００は具体的には端末デバイスであってもよく、および端末デバイスに対応するステップ及び／又は手順を実行するように構成されてもよいことを理解されたい。任意選択的に、メモリ８４０は、読み出し専用メモリおよびランダムアクセスメモリを含んでもよく、プロセッサのための命令およびデータを提供してもよい。メモリの一部は、不揮発性ランダムアクセスメモリをさらに含んでもよい。例えば、メモリは、デバイスタイプの情報をさらに格納してもよい。プロセッサ８２０は、メモリに格納された命令を実行するように構成されてもよい。命令を実行するとき、プロセッサは、方法２００の上記の実施形態における端末デバイスに対応するステップを実行してもよい。
【０１０６】
図９は本発明の一実施形態に従ったチャネル状態情報を送信するための装置９００を示す。例えば、装置９００は、方法２００におけるネットワークデバイスであってもよい。装置９００は、受信機９１０、プロセッサ９２０、送信機９３０、メモリ９４０、およびバスシステム９５０を含む。受信機９１０、プロセッサ９２０、送信機９３０、およびメモリ９４０は、バスシステム９５０を使用することによって接続される。メモリ９４０は、命令を格納するように構成される。プロセッサ９２０は、メモリ９４０に格納された命令を実行するように構成され、受信機９１０が信号を受信するように制御し、送信機９３０が命令を送信するように制御する。
【０１０７】
送信機９３０は、端末デバイスに参照信号を送信するように構成され、そうすることによって、端末デバイスは参照信号に基づいてプリコーディング行列を取得する。受信機９１０は、端末デバイスによって送信されたプリコーディング行列の第１の振幅情報と第２の振幅情報を受信するように構成され、第１の振幅情報は、広帯域の振幅量子化情報を示すために使用され、第２の振幅情報は、広帯域のＮ個の第１サブバンドの振幅量子化情報を示すために使用される。プロセッサ９２０は、第１の振幅情報と第２の振幅情報に基づいて、プリコーディング行列を決定するように構成される。
【０１０８】
上記の実施形態の方法２００において、装置９００は具体的にはネットワークデバイスであってもよく、およびネットワークデバイスに対応するステップ及び／又は手順を実行するように構成されてもよいことを理解されたい。任意選択的に、メモリ９４０は、読み出し専用メモリおよびランダムアクセスメモリを含んでもよく、プロセッサのための命令およびデータを提供してもよい。メモリの一部は、不揮発性ランダムアクセスメモリをさらに含んでもよい。例えば、メモリは、デバイスタイプの情報をさらに格納してもよい。プロセッサ９２０は、メモリに格納された命令を実行するように構成されてもよい。命令を実行するとき、プロセッサは、方法２００の上記の実施形態におけるネットワークデバイスに対応するステップを実行してもよい。
【０１０９】
図１０は本発明の一実施形態に従ったチャネル状態情報を送信するための装置１０００を示す。例えば、装置１０００は方法３００における端末デバイスであってもよい。装置１０００は、受信機１０１０、プロセッサ１０２０、送信機１０３０、メモリ１０４０、およびバスシステム１０５０を含む。受信機１０１０、プロセッサ１０２０、送信機１０３０、およびメモリ１０４０は、バスシステム１０５０を使用することによって接続される。メモリ１０４０は、命令を格納するように構成される。プロセッサ１０２０は、メモリ９４０に格納された命令を実行するように構成され、受信機１０１０が信号を受信するように制御し、送信機１０３０が命令を送信するように制御する。
【０１１０】
受信機１０１０は、ネットワークデバイスによって送信された参照信号を受信するように構成される。プロセッサ１０２０は、参照信号に基づいてプリコーディング行列を取得し、プリコーディング行列の振幅情報を決定するように構成される。送信機１０３０は、プリコーディング行列の振幅情報をネットワークデバイスに送信するように構成され、振幅情報は、広帯域のＮ個の第１サブバンドの振幅量子化情報を示すために使用される。送信機１０３０は、プリコーディング行列の位相情報をネットワークデバイスに送信するようにさらに構成され、位相情報は、広帯域のＭ個の第２サブバンドの位相量子化情報を示すために使用され、Ｎ個の第１サブバンドの各第１サブバンドに含まれるリソースブロックの量は、Ｍ個の第２サブバンドの各第２サブバンドに含まれるリソースブロックの量よりも多い。
【０１１１】
上記の実施形態の方法３００において、装置１０００は具体的には端末デバイスであってもよく、および端末デバイスに対応するステップ及び／又は手順を実行するように構成されてもよいことを理解されたい。任意選択的に、メモリ１０４０は、読み出し専用メモリおよびランダムアクセスメモリを含んでもよく、プロセッサのための命令およびデータを提供してもよい。メモリの一部は、不揮発性ランダムアクセスメモリをさらに含んでもよい。例えば、メモリは、デバイスタイプの情報をさらに格納してもよい。プロセッサ１０２０は、メモリに格納された命令を実行するように構成されてもよい。命令を実行するとき、プロセッサは、方法３００の上記の実施形態における端末デバイスに対応するステップを実行してもよい。
【０１１２】
図１１は、本発明の実施形態に従ったチャネル状態情報を送信するための装置１１００を示す。例えば、装置１１００は方法３００におけるネットワークデバイスであってもよい。装置１１００は、受信機１１１０、プロセッサ１１２０、送信機１１３０、メモリ１１４０、およびバスシステム１１５０を含む。受信機１１１０、プロセッサ１１２０、送信機１１３０、およびメモリ１１４０は、バスシステム１１５０を使用することによって接続される。メモリ１１４０は、命令を格納するように構成され、プロセッサ１１２０は、メモリ１１４０に格納された命令を実行するように構成され、受信機１１１０が信号を受信するように制御し、送信機１１３０が命令を送信するように制御する。
【０１１３】
送信機１１３０は、端末デバイスに参照信号を送信するように構成される。受信機１１１０は、端末デバイスによって送信されたプリコーディング行列の振幅情報を受信するように構成され、振幅情報は、広帯域のＮ個の第１サブバンドの振幅量子化情報を示すために使用され、端末デバイスによって送信されたプリコーディング行列の位相情報を受信するように構成され、位相情報は、広帯域のＭ個の第２のサブバンドの位相量子化情報を示すために使用され、Ｎ個の第１サブバンドに含まれるリソースブロックの量は、Ｍ個の第２サブバンドに含まれるリソースブロックの量よりも多い。プロセッサ１１２０は、プリコーディング行列の振幅情報およびプリコーディング行列の位相情報に基づいて、プリコーディング行列を決定するように構成される。
【０１１４】
上記の実施形態の方法３００において、装置１１００は具体的にはネットワークデバイスであってもよく、およびネットワークデバイスに対応するステップ及び／又は手順を実行するように構成されてもよいことを理解されたい。任意選択的に、メモリ１１４０は、読み出し専用メモリおよびランダムアクセスメモリを含んでもよく、プロセッサのための命令およびデータを提供してもよい。メモリの一部は、不揮発性ランダムアクセスメモリをさらに含んでもよい。例えば、メモリは、デバイスタイプの情報をさらに格納してもよい。プロセッサ１１２０は、メモリに格納された命令を実行するように構成されてもよい。命令を実行するとき、プロセッサは、方法３００の上記の実施形態におけるネットワークデバイスに対応するステップを実行してもよい。
【０１１５】
本発明の実施形態において、プロセッサ８２０、プロセッサ９２０、プロセッサ１０２０、あるいはプロセッサ１１２０は、中央処理装置（Ｃｅｎｔｒａｌ  Ｐｒｏｃｅｓｓｉｎｇ  Ｕｎｉｔ，  ＣＰＵ）であってもよく、あるいはプロセッサは、別の汎用プロセッサ、デジタルシグナルプロセッサ（ＤＳＰ）、特定用途向け集積回路（ＡＳＩＣ）、フィールドプログラマブルゲートアレイ（ＦＰＧＡ）、あるいは別のプログラマブル論理デバイス、離散ゲートまたはトランジスタ論理デバイス、個別ハードウェアコンポーネントなどであってもよいことを理解されたい。汎用プロセッサは、マイクロプロセッサであってもよいし、あるいはプロセッサは任意の従来のプロセッサなどであってもよい。
【０１１６】
本明細書における「および／または」という用語は、関連するオブジェクトを記述するための関連関係のみを記述し、３つの関係が存在し得ることを表す。例えば、Ａおよび／またはＢは、以下の３つの場合、すなわち、Ａのみ存在する、ＡおよびＢの両方が存在する、Ｂのみが存在する、を表すことができる。さらに、本明細書における文字「／」は、通常、関連するオブジェクト間の「または」関係を示す。
【０１１７】
前述のプロセスのシーケンス番号は、本発明の様々な実施形態における実行順序を意味するものではないことを理解されたい。プロセスの実行順序は、プロセスの機能や内部ロジックに基づいて決定されてよく、本発明の実施形態の実装順序を限定する者として解釈されるべきではない。
【０１１８】
当業者は、本明細書に開示された実施形態を参照して説明された例におけるユニットおよびアルゴリズムが、電子ハードウェア、コンピュータソフトウェアと電子ハードウェアの組み合わせによって実装されてもよいことを認識することができる。機能がハードウェアによって実行されるかソフトウェアによって実行されるかは、技術的解決策の特定のアプリケーションおよび設計的制約条件に依存する。当業者は、特定の用途ごとに記載された機能を実装するために異なる方法を使用することができるが、その実装は、本発明の範囲を超えていると考えるべきではない。
【０１１９】
当業者は、システム、装置、およびユニットの詳細な作業プロセスについて、簡潔かつ簡単な説明のために、方法の実施形態における対応するプロセスを参照することは明らかである。詳細はここでは再度説明しない。
【０１２０】
本発明において提供されるいくつかの実施形態において、開示されたシステム、装置、および方法は、他の方法で実装され得ることが理解されるべきである。例えば、説明された装置の実施形態は単なる一例に過ぎない。例えば、ユニット分割は、単に論理的な機能分割であり、実際の実装では別の分割であってもよい。例えば、複数のユニットまたはコンポーネントを別のシステムに組み合わせて、あるいは統合してもよく、またはいくつかの特徴が無視されてもよく、あるいは実行されなくてもよい。さらに、表示または議論された相互結合または直接結合または通信接続は、いくつかのインタフェースを使用することによって実装されてもよい。装置またはユニット間の間接的結合または通信接続は、電子的、機械的、または他の形態で実装されてもよい。
【０１２１】
別個のパーツとして記載されているユニットは、物理的に分離されていても、されていなくてもよく、ユニットとして表示されるパーツは物理ユニットであってもなくてもよく、１つの位置にあってもよく、複数のネットワークユニット上に分散されてもよい。ユニットの一部または全部は、実施形態の解決策の目的を達成するための実際のニーズに基づいて選択されてもよい。
【０１２２】
また、本発明の実施形態における機能ユニットは、１つの処理ユニットに統合されてもよく、あるいは各ユニットは物理的に単独で存在してもよく、あるいは、２つ以上のユニットが１つのユニットに統合されてもよい。
【０１２３】
機能がソフトウェア機能ユニットの形で実装され、独立した製品として販売または使用される場合、機能はコンピュータ可読記憶媒体に格納されてもよい。そのような理解に基づいて、本質的に本発明の技術的解決策、または先行技術に寄与する部分、またはいくつかの技術的解決策は、ソフトウェア製品の形で実装されてもよい。ソフトウェア製品は、記憶媒体に格納され、コンピュータデバイス（パーソナルコンピュータ、サーバ、ネットワークデバイス等であってもよい）に、本発明の実施形態で説明された方法のステップの全てまたは一部を実行するように命令するためのいくつかの命令を含む。上記の媒体は、ＵＳＢフラッシュドライブ、リムーバブルハードディスク、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、光ディスクなどの、プログラムコードを格納できる任意の媒体を含む。
【０１２４】
この説明は、本願の特定の実施形態にすぎず、本発明の保護範囲を限定するものではない。本発明で開示された技術的範囲内で当業者によって容易に想到する変形や置換は、本発明の保護範囲に含まれるものとする。従って、本発明の保護範囲は、特許請求の範囲の保護範囲に属するものとする。
【符号の説明】
【０１２５】
１１０  ネットワークデバイス
１２０  端末デバイス
４００  装置
４１０  受信モジュール
４２０  処理モジュール
４３０  送信モジュール
５００  装置
５１０  送信モジュール
５２０  受信モジュール
５３０  決定モジュール
６００  装置
６１０  受信モジュール
６２０  処理モジュール
６３０  送信モジュール
７００  装置
７１０  送信モジュール
７２０  受信モジュール
７３０  決定モジュール
８００  装置
８１０  受信機
８２０  プロセッサ
８３０  送信機
８４０  メモリ
８５０  バスシステム
９００  装置
９１０  受信機
９２０  プロセッサ
９３０  送信機
９４０  メモリ
９５０  バスシステム
１０００  装置
１０１０  受信機
１０２０  プロセッサ
１０３０  送信機
１０４０  メモリ
１０５０  バスシステム
１１００  装置
１１１０  受信機
１１２０  プロセッサ
１１３０  送信機
１１４０  メモリ
１１５０  バスシステム
【図１】
2019522402.tif 000003
【図２】
2019522402.tif 000004
【図３】
2019522402.tif 000005
【図４】
2019522402.tif 000006
【図５】
2019522402.tif 000007
【図６】
2019522402.tif 000008
【図７】
2019522402.tif 000009
【図８】
2019522402.tif 000010
【図９】
2019522402.tif 000011
【図１０】
2019522402.tif 000012
【図１１】
2019522402.tif 000013
【手続補正書】
【提出日】平成30年11月22日(2018.11.22)
【手続補正１】
【補正対象書類名】明細書
【補正対象項目名】００６３
【補正方法】変更
【補正の内容】
【００６３】
例えば、広帯域が５つの第1サブバンドを含むと仮定する。第1の振幅情報は、広帯域の振幅量子化値が２であるインデックスであってもよい。第2の振幅情報は、広帯域の２である振幅量子化値に関連する５つの第1サブバンドの振幅量子化値の５つの第1方向を示してもよい。５つの第1方向は、それぞれ上方修正方向、下方修正方向、下方修正方向、上方修正方向、および上方修正方向である。例えば、上方修正方向のインデックスは１であり、下方修正方向のインデックスは０である。この場合、第2の振幅情報は１００１１である。ネットワークデバイスと端末デバイスとの間のプロトコルで振幅量子化値の調整サイズが0.1であることが指定されると仮定すると、ネットワークデバイスが第1の振幅情報と第2の振幅情報を受信したとき、第1の振幅情報と第2の振幅情報に基づいて、５つの第1サブバンドの振幅量子化値が2.1、1.9、1.9、2.1、および2.1であることが決定されてもよい。もちろん、第1の振幅情報は、広帯域の振幅量子化値が２であるインデックスであってもよく、第2の振幅情報は、広帯域の振幅量子化値に関連する５つの第1サブバンドの振幅量子化値の変動が0.1、0.1、0.3、0.4、および0.2であるインデックス、および広帯域の振幅量子化値に関連する５つの第1サブバンドの振幅量子化値は調整方向が10011であってもよい。ネットワークデバイスが第1の振幅情報と第2の振幅情報を受信したとき、第1の振幅情報と第2の振幅情報に基づいて、５つの第1サブバンドの振幅値がそれぞれ2.1、1.9、1.7、2.4、および2.2であることが決定されてもよい。
【手続補正２】
【補正対象書類名】明細書
【補正対象項目名】００６５
【補正方法】変更
【補正の内容】
【００６５】
例えば、広帯域は２つの第1サブバンドを含んでもよい。第1の振幅情報は、広帯域の振幅量子化値が0.25であるインデックスであってもよい。0.25に対応するサブバンドの３つの振幅量子化値は、{0.125, 0.2, 0.375}である。端末デバイスは、セットから２つの振幅値を決定し、２つの第1サブバンドの振幅量子化値が0.125および0.375であることを見つける。0.125と0.375のインデックスは、次いでネットワークデバイスに報告される。ネットワークデバイスは、0.25のインデックスに基づいて、広帯域の振幅値を決定し、次に、0.25である振幅値に基づいて、セット{0.125, 0.2, 0.375}を見つけ、0.125と0.375のインデックスに基づいて、セット内のサブバンドの振幅値が0.125および0.375であることを決定してもよく、そうすることによって、さらにサブバンドの振幅値を決定する。
【手続補正３】
【補正対象書類名】特許請求の範囲
【補正対象項目名】全文
【補正方法】変更
【補正の内容】
【特許請求の範囲】
【請求項１】
チャネル状態情報を送信する方法であって、前記方法は、
ネットワークデバイスによって送信された参照信号を、端末デバイスによって受信するステップと、
前記参照信号に基づいて、プリコーディング行列を前記端末デバイスによって取得するステップと、
前記プリコーディング行列の第1の振幅情報と第2の振幅情報を、前記端末デバイスによって決定するステップであって、前記第1の振幅情報は、広帯域の振幅量子化情報を示すために使用され、前記第2の振幅情報は、前記広帯域のN個の第1サブバンドの振幅量子化情報を示すために使用され、Nは０より大きい整数である、決定するステップと、
前記第1の振幅情報と前記第2の振幅情報を、前記端末デバイスによって前記ネットワークデバイスに送信するステップと、を含む、
方法。
【請求項２】
前記第1の振幅情報は、前記広帯域の振幅量子化値を示すために具体的に使用され、前記第2の振幅情報は、前記広帯域の前記振幅量子化値に関連する前記N個の第1サブバンドの振幅量子化値の変動についての情報を示すために具体的に使用される、請求項１に記載の方法。
【請求項３】
前記第１の振幅情報は、前記プリコーディング行列に対応するL個の振幅量子化情報のうちの１つであり、前記N個の第１サブバンドの各第１サブバンドの前記振幅量子化情報は、前記プリコーディング行列に対応するP個の振幅量子化情報のうちの１つであり、LおよびPは０以上の整数であり、LはPよりも大きい、請求項１または２に記載の方法。
【請求項４】
前記第1の振幅情報と前記第2の振幅情報を前記端末デバイスによって前記ネットワークデバイスに送信する前記ステップの前に、前記方法はさらに、
前記ネットワークデバイスによって送信された第1の命令情報を前記端末デバイスによって受信するステップであって、前記第１の命令情報は、前記端末デバイスに前記第１の振幅情報と前記第２の振幅情報をフィードバックさせるように命令するために使用される、受信するステップを含み、
前記第1の振幅情報と前記第2の振幅情報を前記端末デバイスによって前記ネットワークデバイスに送信する前記ステップは、
前記第１の命令情報に従って、前記第１の振幅情報と前記第２の振幅情報を前記端末デバイスによって前記ネットワークデバイスに送信するステップを含む、
請求項１乃至３のいずれか一項に記載の方法。
【請求項５】
チャネル状態情報を送信するための方法であって、前記方法は、
ネットワークデバイスによって参照信号を端末デバイスに送信するステップであって、そうすることによって、前記端末デバイスが前記参照信号に基づいてプリコーディング行列を取得する、送信するステップと、
前記端末デバイスによって送信された前記プリコーディング行列の第1の振幅情報と第2の振幅情報を、前記ネットワークデバイスによって受信するステップであって、前記第１の振幅情報は広帯域の振幅量子化情報を示すために使用され、前記第2の振幅情報は、前記広帯域のN個の第1サブバンドの振幅量子化情報を示すために使用され、Nは０より大きい整数である、受信するステップと、
前記第１の振幅情報と前記第２の振幅情報に基づいて、前記ネットワークデバイスによって前記プリコーディング行列を決定するステップと、を含む、
方法。
【請求項６】
前記第1の振幅情報は、前記広帯域の振幅量子化値を示すために具体的に使用され、前記第2の振幅情報は、前記広帯域の前記振幅量子化値に関連する前記N個の第1サブバンドの振幅量子化値の変動についての情報を示すために具体的に使用される、請求項５に記載の方法。
【請求項７】
前記第１の振幅情報は、前記プリコーディング行列に対応するL個の振幅量子化情報のうちの１つであり、前記N個の第１サブバンドの各第１サブバンドの前記振幅量子化情報は、前記プリコーディング行列に対応するP個の振幅量子化情報のうちの１つであり、LおよびPは０以上の整数であり、LはPよりも大きい、請求項５または６に記載の方法。
【請求項８】
前記端末デバイスによって送信された前記プリコーディング行列の第1の振幅情報と第2の振幅情報を前記ネットワークデバイスによって受信する前記ステップの前に、前記方法はさらに、
第１の命令情報を前記ネットワークデバイスによって前記端末デバイスに送信するステップであって、前記第１の命令情報は、前記端末デバイスに前記第１の振幅情報と前記第２の振幅情報をフィードバックさせるように命令するために使用される、送信するステップを含み、
前記端末デバイスによって送信された前記プリコーディング行列の第１の振幅情報と第２の振幅情報を前記ネットワークデバイスによって受信する前記ステップは、
前記第１の命令情報に従って、前記端末デバイスによって送信された前記第１の振幅情報と前記第２の振幅情報を、前記ネットワークデバイスによって受信するステップを含む、
請求項５乃至７のいずれか一項に記載の方法。
【請求項９】
チャネル状態情報を送信するための装置であって、前記装置は、
ネットワークデバイスによって送信された参照信号を受信するように構成された、受信モジュールと、
前記参照信号に基づいて、プリコーディング行列を取得するように構成された、処理モジュールであって、ここで
前記処理モジュールは、前記プリコーディング行列の第1の振幅情報と第2の振幅情報を決定するようにさらに構成され、前記第1の振幅情報は、広帯域の振幅量子化情報を示すために使用され、前記第2の振幅情報は、前記広帯域のN個の第1サブバンドの振幅量子化情報を示すために使用され、Nは０より大きい整数である、処理モジュールと、
前記第1の振幅情報と前記第2の振幅情報を、前記ネットワークデバイスに送信するように構成された、送信モジュールと、を含む、
装置。
【請求項１０】
前記第1の振幅情報は、前記広帯域の振幅量子化値を示すために具体的に使用され、前記第2の振幅情報は、前記広帯域の前記振幅量子化値に関連する前記N個の第1サブバンドの振幅量子化値の変動についての情報を示すために具体的に使用される、請求項９に記載の装置。
【請求項１１】
前記第１の振幅情報は、前記プリコーディング行列に対応するL個の振幅量子化情報のうちの１つであり、前記N個の第１サブバンドの各第１サブバンドの前記振幅量子化情報は、前記プリコーディング行列に対応するP個の振幅量子化情報のうちの１つであり、LおよびPは０以上の整数であり、LはPよりも大きい、請求項９または１０に記載の装置。
【請求項１２】
前記装置はさらに、
前記第1の振幅情報と前記第2の振幅情報が前記ネットワークデバイスに送信される前に、前記ネットワークデバイスによって送信された第1の命令情報を受信するように構成された受信モジュールであって、前記第１の命令情報は、前記装置に前記第１の振幅情報と前記第２の振幅情報をフィードバックさせるように命令するために使用される、受信モジュールを含み、
前記送信モジュールは、前記第1の命令情報に従って、前記第1の振幅情報と前記第2の振幅情報を前記ネットワークデバイスに送信するように具体的に構成される、
請求項９乃至１１のいずれか一項に記載の装置。
【請求項１３】
チャネル状態情報を送信するための装置であって、前記装置は、
参照信号を端末デバイスに送信するように構成され、そうすることによって、前記端末デバイスが前記参照信号に基づいてプリコーディング行列を取得する、送信モジュールと、
前記端末デバイスによって送信された前記プリコーディング行列の第1の振幅情報と第2の振幅情報を受信するように構成された受信モジュールであって、前記第1の振幅情報は、広帯域の振幅量子化情報を示すために使用され、前記第2の振幅情報は、前記広帯域のN個の第1サブバンドの振幅量子化情報を示すために使用され、Nは０より大きい整数である、受信モジュールと、
前記第1の振幅情報と前記第2の振幅情報に基づいて、プリコーディング行列を決定するように構成された、決定モジュールと、を含む、
装置。
【請求項１４】
前記第1の振幅情報は、前記広帯域の振幅量子化値を示すために具体的に使用され、前記第2の振幅情報は、前記広帯域の前記振幅量子化値に関連する前記N個の第1サブバンドの振幅量子化値の変動についての情報を示すために具体的に使用される、請求項１３に記載の装置。
【請求項１５】
前記第１の振幅情報は、前記プリコーディング行列に対応するL個の振幅量子化情報のうちの１つであり、前記N個の第１サブバンドの各第１サブバンドの前記振幅量子化情報は、前記プリコーディング行列に対応するP個の振幅量子化情報のうちの１つであり、LおよびPは０以上の整数であり、LはPよりも大きい、請求項１２または１３に記載の装置。
【請求項１６】
前記端末デバイスによって送信された前記プリコーディング行列の前記第1の振幅情報と前記第2の振幅情報が受信される前に、前記送信モジュールはさらに、第1の命令情報を前記端末デバイスに送信するように構成され、前記第1の命令情報は、前記端末デバイスに前記第1の振幅情報と前記第2の振幅情報をフィードバックさせるように命令するために使用され、
前記受信モジュールは具体的に、前記第１の命令情報に従って、前記端末デバイスによって送信された前記第１の振幅情報と前記第２の振幅情報を受信するように構成された、
請求項１２乃至１５のいずれか一項に記載の装置。
【手続補正４】
【補正対象書類名】図面
【補正対象項目名】図２
【補正方法】変更
【補正の内容】
【図２】
2019522402.tif 000014
【国際調査報告】
2019522402.tif 000015
2019522402.tif 000016
2019522402.tif 000017
2019522402.tif 000018
2019522402.tif 000019
2019522402.tif 000020